(57)【要約】【課題】利用者側から低価格で受信先にＳＭＳメールで配信できるＳＭＳメール配信サービスシステムを得る。【解決手段】利用者側を利用者側パソコン１００と該利用者側パソコンの外付けモデムとなる機能を有する利用者側スマホ１５０とで構成し、受信先の受信先スマホ携帯電話番号と短い文字メッセージと受信先名と配信日時とを含む配信キューを利用者側パソコン１００に登録して、外付けモデムとなった利用者側スマホ１５０から要求がある毎に、配信日時となった配信キューを利用者側スマホ１５０に送信して、受信先にＳＭＳメールを送信する。【選択図】図１
2015060588.tif 000002
【特許請求の範囲】
【請求項１】
サービスサイトのサーバに外付けのＳＭＳモデムとして設定したサイト側携帯電話機を接続し、このサーバからの利用者側パソコン用アプリＲｐｉ及び利用者側携帯電話機用アプリＲＫＡｐｉを購入して利用する利用者側を、利用者側パソコンとＳＭＳモデム機能部を有する利用者側携帯電話機とで構成し、この利用者側携帯電話機を外付けのＳＭＳモデムとして設定した後に、短い文字メッセージＭｐｉを受信先携帯電話機に送信するＳＭＳメール配信サービスシステムであって、
前記利用者側パソコン用アプリＲｐｉを起動した前記利用者側パソコンは、
配信キューテーブルを備え、さらに、
入力された前記受信先携帯電話機の受信先携帯電話番号と前記短い文字メッセージＭｐｉと配信日時とを含むデータを配信キューＱｉとして生成し、これを入力の順に前記配信キューテーブルに記憶する配信キュー作成処理部と、
前記利用者側携帯電話機から前記配信キューＱｉを要求する配信キュー要求コマンドＲＫＨＹｉを受信した場合は、この受信毎に前記配信キューＱｉを前記配信キューテーブルから抽出する配信キュー抽出処理部と、
前記利用者側携帯電話機からの前記配信キュー要求コマンドＲＫＨＹｉを受信する毎に、これを前記配信キュー抽出処理部に出力する一方、前記抽出された配信キューＱｉを前記利用者側携帯電話機に送信する送受信部と
を有し、
前記利用者側携帯電話機用アプリＲＫＡｐｉを起動した利用者側携帯電話機は、
一定間隔で前記配信キュー要求コマンドＲＫＨＹｉを前記利用者側パソコンに送信する配信キュー問合処理部と、
前記配信キュー要求コマンドＲＫＨＹｉの送信に伴って、前記利用者側パソコンからの前記配信キューＱｉに含まれている受信先携帯電話機携帯電話番号宛で前記配信キューＱｉに含まれている前記短い文字メッセージＭｐｉを当該利用者側携帯電話機のＳＭＳモデム機能部によってＳＭＳメールで送信させるＳＭＳ送信指示処理部と
を有することを特徴とするＳＭＳメール配信サービスシステム。
【請求項２】
前記利用者側パソコンは、
パソコン側タイマーを備え、
前記配信キュー抽出処理部は、
前記利用者側携帯電話機から前記配信キュー要求コマンドＲＫＨＹｉを受信した場合は、この受信毎に前記パソコン側タイマーの現在日時に対して前記配信キュー要求コマンドＲＫＨＹｉに付加されている前記一定間隔の時刻を加算した前記配信日時を有する配信キューＱｉを前記配信キューテーブルから抽出する手段と、
前記利用者側携帯電話機は、
第１携帯電話機側タイマーを備え、
前記配信キュー問合処理部は、
前記第１携帯電話機側タイマーが前記一定間隔を計測する毎に、この一定間隔を付加した前記配信キュー要求コマンドＲＫＨＹｉを前記利用者側パソコンに送信する手段と
を有することを特徴とする請求項１記載のＳＭＳメール配信サービスシステム。
【請求項３】
前記利用者側携帯電話機は、複数台であり、前記一定間隔は、各々の利用者側携帯電話機毎に異なることを特徴とする請求項２記載のＳＭＳメール配信サービスシステム。
【請求項４】
前記利用者側パソコンは、
利用者側の名称、前記利用者側携帯電話機の利用者側携帯電話番号、前記受信先携帯電話機の受信先携帯電話番号、前記短い文字メッセージＭｐｉ、前記配信日時を含む受信先宛メッセージ情報ＲＵＪｉと入力されたシリアルキーｃｈｉとを関連付けた利用者登録要求情報ＲＪｉを記憶した第１の記憶手段とを備え、
さらに、
前記第１の記憶手段の利用者登録要求情報ＲＪｉに前記利用者側パソコン用アプリＲｐｉを起動するためのコマンドを含むアクティブキー要求コマンドＲＫＹｉをインターネット網を介して前記サービスサイトのサーバに送信するアクティブキー送信処理部と、
前記アクティブキー要求コマンドＲＫＹｉの送信に伴って前記サービスサイトのサーバからアクティブキーＷｉを受信したとき、該アクティブキーＷｉを解読し、このアクティブキーＷｉに含まれている携帯電話番号が前記第１の記憶手段の前記利用者登録要求情報ＲＪｉの利用者側携帯電話番号に一致した場合に、前記アクティブキーＷｉで前記配信キュー作成処理部及び前記配信キュー抽出処理部を起動する利用者側パソコンアプリ起動判定処理部と
を有することを特徴とする請求項１記載のＳＭＳメール配信サービスシステム。
【請求項５】
前記利用者側パソコンは、
前記利用者側パソコン用アプリＲｐｉのシリアルキー入力画面を送信させ、このシリアルキー入力画面に、入力されたシリアルキーｃｈｉが前記利用者側パソコン用アプリＲｐｉに付加されているシリアルキーｃｈｉに一致した場合は、前記受信先宛メッセージ情報ＲＵＪｉを入力させるための入力画面を表示し、この受信先宛メッセージ情報ＲＵＪｉに前記入力されたシリアルキーｃｈｉを関連付けて前記利用者登録要求情報ＲＪｉとして前記第１の記憶手段に記憶する利用者登録情報作成処理部と
を有することを特徴とする請求項４記載のＳＭＳメール配信サービスシステム。
【請求項６】
前記利用者側携帯電話機は、
前記外付けＳＭＳモデムとして設定された場合は、入力された前記サイト側携帯電話機のサイト側携帯電話番号を前記ＳＭＳモデム機能部に設定して、このサイト側携帯電話機番号を有するＳＭＳメールのみの受信許可状態にするサイト側携帯電話機指定処理部と、  前記ＳＭＳモデム機能部が前記サイト側携帯電話機から前記ＳＭＳメールを受信するまで前記配信キュー問合処理部及びＳＭＳ送信指示処理部を待機状態にし、前記ＳＭＳモデム機能部が前記ＳＭＳメールを前記サイト側携帯電話機から受信した場合は、このＳＭＳメールに含まれているアクティブキーＷｉで前記配信キュー問合処理部及びＳＭＳ送信指示処理部を起動する利用者側携帯電話機起動判定処理部と
を有することを特徴とする請求項１記載のＳＭＳメール配信サービスシステム。
【請求項７】
前記サイト側携帯電話機は、複数台であることを特徴とする請求項１記載のＳＭＳメール配信サービスシステム。
【請求項８】
前記サービスサイトのサーバは、
ＳＭＳメールサービス受付サイトのサーバと、前記利用者側パソコン用アプリＲｐｉをインターネット網によって購買させるＷｅｂ通販サイトのサーバと、前記利用者側携帯電話機用アプリＲＫＡｐｉを前記インターネット網によって前記利用者側携帯電話機に送信するコンテンツ検索サイトのサーバとから構成され、
前記Ｗｅｂ通販サイトのサーバは、
前記ＳＭＳメールサービス受付サイトのサーバからの前記利用者側パソコン用アプリＲｐｉのシリアルキーｃｈｉを複数記憶した第２の記憶手段と、
前記利用者側パソコン用アプリＲｐｉを記憶した第３の記憶手段とを備え、さらに、
前記利用者側パソコンからの前記インターネット網を介しての前記利用者側パソコン用アプリＲｐｉの利用者側ダウンロード要求ＲＣｊｉに伴って、前記第３の記憶手段の前記利用者側パソコン用アプリＲｐｉを読み出し、これに前記第２の記憶手段におけるいずれかのシリアルキーｃｈｉを付加して、前記利用者側ダウンロード要求ＲＣｊｉを送信した前記利用者側パソコンに送信すると共に、前記利用者側ダウンロード要求ＲＣｊｉに含まれているメールアドレスを読み込み、このメールアドレス宛で前記いずれかのシリアルキーｃｈｉをＥメールで送信させる利用者側パソコン用アプリ提供部と
を有し、
前記ＳＭＳメールサービス受付サイトのサーバは、
前記利用者側パソコンからのアクティブキー要求コマンドＲＫＹｉが記憶される第４の記憶手段を備え、さらに、
前記利用者側パソコンからの前記インターネット網を介しての前記利用者側パソコン用アプリＲｐｉ及び前記利用者側携帯電話機用アプリＲＫＡｐｉを起動させるためのアクティブキー要求コマンドＲＫＹｉを受信し、このアクティブキー要求コマンドＲＫＹｉを前記第４の記憶手段に記憶する利用者側登録情報受信部と、
前記第４の記憶手段のアクティブキー要求コマンドＲＫＹｉに含まれている前記利用者側パソコンからの利用者登録要求情報ＲＪｉに基づいてアクティブキーＷｉを生成するアクティブキー作成部と、
前記アクティブキーの生成に伴って前記第４の記憶手段の前記アクティブキー要求コマンドＲＫＹｉに含まれている前記利用者側携帯電話機の利用者側携帯電話番号を読み込み、この利用者側携帯電話番号宛で前記生成されたアクティブキーＷｉを埋め込んだＳＭＳメッセージを前記サイト側携帯電話機に送信するＳＭＳメール送信部と
を有し、
前記コンテンツ検索サイトのサーバは、
前記利用者側携帯電話機のオペレーションシステム仕様である前記利用者側携帯電話機用アプリＲＫＡｐｉを記憶した第５の記憶手段と、
前記サイト側携帯電話機のサイト側携帯電話番号を記憶した第６の記憶手段と、
を備え、さらに、
前記利用者側携帯電話機からの前記インターネット網を介しての前記利用者側携帯電話機用アプリＲＫＡｐｉをダウンロードするための利用者側携帯電話機ダウンロード要求ＲＳＤＹｊｉの受信に伴って、前記第５の記憶手段の前記利用者側携帯電話機用アプリＲＫＡｐｉを読み出し、前第６の記憶手段のサイト側携帯電話番号を付加してその利用者側携帯電話機に送信する利用者側携帯電話機用アプリ提供部と
を有することを特徴とする請求項１記載のＳＭＳメール配信サービスシステム。
【請求項９】
前記ＳＭＳメールサービス受付サイトのサーバは、
サイト側携帯電話機のサイト側単位時間を記憶した第７の記憶手段と、
利用者側携帯電話機への文字メッセージＳＭｐｉを有するアクティブキー用配信キューテーブルが生成された第８の記憶手段と、
サイト側タイマーと
を備え、さらに、
前記アクティブキー要求コマンドＲＫＹｉの受信に伴って、このアクティブキー要求コマンドＲＫＹｉに含まれている前記利用者登録要求情報ＲＪｉの受付年月日時刻ｒｚｔｉを読み込み、前記第７の記憶手段に記憶されているサイト側携帯電話機のサイト側単位時間を付加したアクティブキー配信日時を求め、前記アクティブキー用配信キューテーブルに、このアクティブキー配信日時とアクティブキーＷｉとの組をアクティブキー用配信キューＷＱｉとして記憶するアクティブキー用配信キュー作成部とを備え、
さらに、前記ＳＭＳメール送信部は、
アクティブキー有無問合情報ＷＹｊｉが受信される毎に、前記アクティブキー用配信キューテーブルの前記アクティブキー用配信キューＷＱｉに、前記アクティブキー有無問合情報ＷＹｊｉに含まれているサイト側携帯電話機一定間隔を前記サイト側タイマーのサイト側現在日時に加算した実サイト配信日時を求め、この実サイト側配信日時に一致するアクティブキー配信日時を有するアクティブキー用配信キューＷＱｉに含まれている短い文字メッセージＳＭｐｉと利用者側携帯電話番号とを前記ＳＭＳメール送信部に出力するアクティブキー配信キュー抽出部と
を備え、
さらに、前記サイト側携帯電話機は、
サイト側携帯電話機一定間隔を経過する毎に、このサイト側携帯電話機一定間隔を含めた前記アクティブキー有無問合情報ＷＹｊｉを前記ＳＭＳメールサービス受付サイトのサーバに送信するサイト側アクティブキー問合部と
を有することを特徴とする請求項８記載のＳＭＳメール配信サービスシステム。
【請求項１０】
サービスサイトのサーバに外付けのＳＭＳモデムとして設定したサイト側携帯電話機を接続し、このサーバからの利用者側パソコン用アプリＲｐｉ及び利用者側携帯電話機用アプリＲＫＡｐｉを購入して利用する利用者側を、利用者側パソコンとＳＭＳモデム機能部を有する利用者側携帯電話機とで構成し、この利用者側携帯電話機を外付けのＳＭＳモデムとして設定した後に、短い文字メッセージＭｐｉを受信先携帯電話機に送信するＳＭＳメール配信サービス方法であって、
前記利用者側パソコン用アプリＲｐｉを起動した前記利用者側パソコンは、
配信キューテーブルを用意し、
コンピュータが、
入力された前記受信先携帯電話機の受信先携帯電話番号と前記短い文字メッセージＭｐｉと配信日時とを含むデータを配信キューＱｉとして生成し、これを入力の順に前記配信キューテーブルに記憶する配信キュー作成処理ステップと、
前記利用者側携帯電話機から前記配信キューＱｉを要求する配信キュー要求コマンドＲＫＨＹｉを受信した場合は、この受信毎に前記配信キューＱｉを前記配信キューテーブルから抽出する配信キュー抽出処理ステップと、
前記利用者側携帯電話機からの前記配信キュー要求コマンドＲＫＨＹｉを受信する毎に、これを前記配信キュー抽出処理ステップに出力する一方、前記抽出された配信キューＱｉを前記利用者側携帯電話機に送信するパソコン側送受信ステップと
を行い、
前記利用者側携帯電話機用アプリＲＫＡｐｉを起動した利用者側携帯電話機は、
一定間隔で前記配信キュー要求コマンドＲＫＨＹｉを前記利用者側パソコンに送信する配信キュー問合処理ステップと、
前記配信キュー要求コマンドＲＫＨＹｉの送信に伴って、前記利用者側パソコンからの前記配信キューＱｉに含まれている受信先携帯電話番号宛で前記配信キューＱｉに含まれている前記短い文字メッセージＭｐｉを当該利用者側携帯電話機のＳＭＳモデム機能部によってＳＭＳメールで送信させるＳＭＳ送信指示処理ステップと
を行うことを特徴とするＳＭＳメール配信サービス方法。
【請求項１１】
パソコン側タイマーを用意し、
前記利用者側パソコンのコンピュータが、
前記配信キュー抽出処理ステップが、
前記利用者側携帯電話機から前記配信キュー要求コマンドＲＫＨＹｉを受信した場合は、この受信毎に前記パソコン側タイマーの現在日時に対して前記配信キュー要求コマンドＲＫＨＹｉに付加されている前記一定間隔を加算した前記配信日時を有する配信キューＱｉを前記配信キューテーブルから抽出するステップと
を行い、
第１携帯電話機側タイマーを用意し、
前記利用者側携帯電話機のコンピュータの前記配信キュー問合処理ステップが、
前記第１携帯電話機側タイマーが前記一定間隔を計測する毎に、この一定間隔を付加した前記配信キュー要求コマンドＲＫＨＹｉを前記利用者側パソコンに送信するステップとを行うことを特徴とする請求項１０記載のＳＭＳメール配信サービス方法。
【請求項１２】
前記利用者側パソコンは、
利用者側の名称、前記利用者側携帯電話機の利用者側携帯電話番号、前記受信先携帯電話機の受信先携帯電話番号、前記短い文字メッセージＭｐｉ、前記配信日時を含む受信先宛メッセージ情報ＲＵＪｉと入力されたシリアルキーｃｈｉとを関連付けた利用者登録要求情報ＲＪｉを記憶した第１の記憶手段を用意し、
前記利用者側パソコンのコンピュータが、
前記第１の記憶手段の利用者登録要求情報ＲＪｉに前記利用者側パソコン用アプリＲｐｉを起動するためのコマンドを含むアクティブキー要求コマンドＲＫＹｉをインターネット網を介して前記サービスサイトのサーバに送信するアクティブキー送信ステップと、
前記アクティブキー要求コマンドＲＫＹｉの送信に伴って前記サービスサイトのサーバからアクティブキーＷｉを受信したとき、該アクティブキーＷｉを解読し、このアクティブキーＷｉに含まれている携帯電話番号が前記第１の記憶手段の前記利用者登録要求情報ＲＪｉの利用者側携帯電話番号に一致した場合に、前記アクティブキーＷｉで前記配信キュー作成処理ステップ及び前記配信キュー抽出処理ステップを起動する利用者側パソコンアプリ起動判定処理ステップと
を行うことを特徴とする請求項１０記載のＳＭＳメール配信サービス方法。
【請求項１３】
前記サービスサイトのサーバは、
ＳＭＳメールサービス受付サイトのサーバと、前記利用者側パソコン用アプリＲｐｉをインターネット網によって購買させるＷｅｂ通販サイトのサーバと、前記利用者側携帯電話機用アプリＲＫＡｐｉを前記インターネット網によって前記利用者側携帯電話機に送信するコンテンツ検索サイトのサーバとから構成され、
前記Ｗｅｂ通販サイトのサーバは、
前記ＳＭＳメールサービス受付サイトのサーバからの前記利用者側パソコン用アプリＲｐｉのシリアルキーｃｈｉを複数記憶した第２の記憶手段と、
前記利用者側パソコン用アプリＲｐｉを記憶した第３の記憶手段と
を用意し、
前記利用者側パソコンからの前記インターネット網を介しての前記利用者側パソコン用アプリＲｐｉをダウンロードするための利用者側ダウンロード要求ＲＣｊｉに伴って、前記第３の記憶手段の前記利用者側パソコン用アプリＲｐｉを読み出し、これに前記第２の記憶手段のいずれかのシリアルキーｃｈｉを付加して、前記利用者側ダウンロード要求ＲＣｊｉを送信した前記利用者側パソコンに送信すると共に、前記利用者側ダウンロード要求ＲＣｊｉに含まれているメールアドレスを読み込み、このメールアドレス宛で前記いずれかのシリアルキーｃｈｉをＥメールで送信させる利用者側パソコン用アプリ提供処理ステップと
を行い、
前記ＳＭＳメールサービス受付サイトのサーバは、
前記利用者側パソコンからのアクティブキー要求コマンドＲＫＹｉが記憶される第４の記憶手段を用意し、
前記利用者側パソコンからの前記インターネット網を介しての前記利用者側パソコン用アプリＲｐｉ及び前記利用者側携帯電話機用アプリＲＫＡｐｉを起動させるためのアクティブキー要求コマンドＲＫＹｉを受信し、このアクティブキー要求コマンドＲＫＹｉを前記第４の記憶手段に記憶する利用者側登録情報受信ステップと、
前記第４の記憶手段のアクティブキー要求コマンドＲＫＹｉに含まれている前記利用者側パソコンからの利用者登録要求情報ＲＪｉに基づいてアクティブキーＷｉを生成するアクティブキー作成ステップと、
前記アクティブキーの生成に伴って前記第４の記憶手段の前記アクティブキー要求コマンドＲＫＹｉに含まれている前記利用者側携帯電話機の利用者側携帯電話番号を読み込み、この利用者側携帯電話番号宛で前記生成されたアクティブキーＷｉを埋め込んだＳＭＳメッセージを前記サイト側携帯電話機に送信するＳＭＳメール送信ステップと
を行い、
前記コンテンツ検索サイトのサーバは、
前記利用者側携帯電話機のオペレーションシステム仕様である前記利用者側携帯電話機用アプリＲＫＡｐｉを記憶した第５の記憶手段と、
前記サイト側携帯電話機のサイト側携帯電話番号を記憶した第６の記憶手段と、
を用意し、
前記利用者側携帯電話機からの前記インターネット網を介しての前記利用者側携帯電話機用アプリＲＫＡｐｉの利用者側携帯電話機ダウンロード要求ＲＳＤＹｊｉの受信に伴って、前記第５の記憶手段の前記利用者側携帯電話機用アプリＲＫＡｐｉを読み出し、前記第６の記憶手段のサイト側携帯電話番号を付加してその利用者側携帯電話機に送信する利用者側携帯電話機用アプリ提供ステップと
を行うことを特徴とする請求項１０、１１又は１２のいずれかに記載のＳＭＳメール配信サービス方法。
【請求項１４】
前記ＳＭＳメールサービス受付サイトのサーバは、
サイト側携帯電話機のサイト側単位時間を記憶した第７の記憶手段と、
利用者側携帯電話機への文字メッセージＳＭｐｉを有するアクティブキー用配信キューテーブルが生成された第８の記憶手段と、
サイト側タイマーと
を用意し、
前記アクティブキー要求コマンドＲＫＹｉの受信に伴って、このアクティブキー要求コマンドＲＫＹｉに含まれている前記利用者登録要求情報ＲＪｉの受付年月日時刻を読み込み、前記第７の記憶手段に記憶されているサイト側携帯電話機のサイト側単位時間を付加したアクティブキー配信日時を求め、前記アクティブキー用配信キューテーブルに、このアクティブキー配信日時とアクティブキーＷｉとを組みにしてアクティブキー用配信キューＷＱｉとして記憶するアクティブキー用配信キュー作成ステップとを行い、
さらに、前記ＳＭＳメール送信ステップが、
アクティブキー有無問合情報ＷＹｊｉが受信される毎に、前記アクティブキー用配信キューテーブルの前記アクティブキー用配信キューＷＱｉに、前記アクティブキー有無問合情報ＷＹｊｉに含まれているサイト側携帯電話機一定間隔を前記サイト側タイマーのサイト側現在日時に加算した実サイト配信日時を求め、この実サイト側配信日時に一致するアクティブキー配信日時を有するアクティブキー用配信キューＷＱｉに含まれている短い文字メッセージＳＭｐｉと利用者側携帯電話番号とを前記ＳＭＳメール送信部に出力するアクティブキー配信キュー抽出ステップと
を行い、
さらに、前記サイト側携帯電話機が、
サイト側携帯電話機一定間隔を経過する毎に、このサイト側携帯電話機一定間隔を含めた前記アクティブキー有無問合情報ＷＹｊｉを前記ＳＭＳメールサービス受付サイトのサーバに送信するサイト側アクティブキー有無問合ステップと
を行うことを特徴とする請求項１３記載のＳＭＳメール配信サービス方法。
【請求項１５】
サービスサイトのサーバに外付けのＳＭＳモデムとして設定したサイト側携帯電話機を接続し、このサーバからの利用者側パソコン用アプリＲｐｉ及び利用者側携帯電話機用アプリＲＫＡｐｉを購入して利用する利用者側を、利用者側パソコンとＳＭＳモデム機能部を有する利用者側携帯電話機とで構成し、この利用者側携帯電話機を外付けのＳＭＳモデムとして設定した後に、短い文字メッセージＭｐｉを受信先携帯電話機に送信するＳＭＳメール配信サービスプログラムであって、
前記利用者側パソコン用アプリＲｐｉを起動した前記利用者側パソコンは、
配信キューテーブルを用意し、
コンピュータを、
入力された前記受信先携帯電話機の受信先携帯電話番号と前記短い文字メッセージＭｐｉと配信日時とを含むデータを配信キューＱｉとして生成し、これを入力の順に前記配信キューテーブルに記憶する配信キュー作成処理手段、
前記利用者側携帯電話機から前記配信キューＱｉを要求する配信キュー要求コマンドＲＫＨＹｉを受信した場合は、この受信毎に前記配信キューＱｉを前記配信キューテーブルから抽出する配信キュー抽出処理手段、
前記利用者側携帯電話機からの前記配信キュー要求コマンドＲＫＨＹｉを受信する毎に、これを前記配信キュー抽出処理手段に出力する一方、前記抽出された配信キューＱｉを前記利用者側携帯電話機に送信するパソコン側送受信手段
としての機能を実行させ、
さらに、
前記利用者側携帯電話機用アプリＲＫＡｐｉを起動した利用者側携帯電話機は、
コンピュータを、
一定間隔で前記配信キュー要求コマンドＲＫＨＹｉを前記利用者側パソコンに送信する配信キュー問合処理手段、
前記配信キュー要求コマンドＲＫＨＹｉの送信に伴って、前記利用者側パソコンからの前記配信キューＱｉに含まれている受信先携帯電話番号宛で前記配信キューＱｉに含まれている前記短い文字メッセージＭｐｉを当該利用者側携帯電話機のＳＭＳモデム機能部によってＳＭＳメールで送信させるＳＭＳ送信指示処理手段、
としての機能を実行するためのＳＭＳメール配信サービスプログラム。
【請求項１６】
パソコン側タイマーを用意し、
前記利用者側パソコンのコンピュータの前記配信キュー抽出処理手段を、
前記利用者側携帯電話機から前記配信キュー要求コマンドＲＫＨＹｉを受信した場合は、この受信毎に前記パソコン側タイマーの現在日時に対して前記配信キュー要求コマンドＲＫＨＹｉに付加されている一定間隔を加算した前記配信日時を有する配信キューＱｉを前記配信キューテーブルから抽出する手段としての機能を実行させ、
第１携帯電話機側タイマーを用意し、
前記利用者側携帯電話機のコンピュータの前記配信キュー問合処理手段を、
前記第１携帯電話機側タイマーが前記一定間隔を計測する毎に、この一定間隔を付加した前記配信キュー要求コマンドＲＫＨＹｉを前記利用者側パソコンに送信する手段
としての機能を実行させるための請求項１５記載のＳＭＳメール配信サービスプログラム。
【発明の詳細な説明】
【技術分野】
【０００１】
本発明は、低価格で受信先にＳＭＳメールを配信できる利用者側ＳＭＳメール配信サービスシステムに関する。
【背景技術】
【０００２】
近年は、受信先のメールアドレスがわからなくとも携帯電話機番号がわかれば、短い文章を送受信できるＳｈｏｒｔ  Ｍｅｓｓａｇｅ  Ｓｅｒｖｃｅ（以下ＳＭＳという）が利用されている。
【０００３】
例えば、非特許文献１には、パソコンからインターネット網経由でサービスサイトのサーバにアクセスして、パソコンに登録している顧客リスト及びメッセージをサービスサイトのサーバに送信し、サービスサイトのサーバがこの顧客リストの顧客に対してＳＭＳメールを送信するＳＭＳ配信サービスシステムが開示されている。
【０００４】
すなわち、非特許文献１のＳＭＳ配信サービスシステムは、図３０に示すように、複数の利用者（送信元ともいう）のパソコン１０ａ、・・（総称して送信元という）の各々が受信先のスマートフォン１１ａ又は携帯電話機１１ｂ・・・（総称して受信先ＳＭＳ機能付携帯端末１１という）の携帯電話番号毎に、この携帯電話番号に送信するショートメッセージを関連付けた配信リスト１２ａ、１２ｂ・・（総称してリスト１２という）を各々作成し、このリスト１２をインターネット網である通信網１３経由でＡＳＰ配信業者のサーバ１４（サービスサイトのサーバともいう）に登録する。
【０００５】
そして、ＡＳＰ配信業者のサーバ１４がリスト１２の携帯電話番号毎にショートメッセージを読み込んでＳＭＳメールとして受信先である受信先ＳＭＳ機能付携帯端末１１に送信している。
【先行技術文献】
【非特許文献】
【０００６】
【非特許文献１】ｙａｈｏｏ  Ｊａｐａｎ、[ｏｎｌｉｎｅ]、[2013年5月14日検索]、インターネット＜ＵＲＬ：http:／／ｗｗｗ．ｏｗｎｅｒｓ−ａｇｅ．ｃｏｍ／ｓｍｓ＿ｏｋｕｒｕ／＞
【発明の概要】
【発明が解決しようとする課題】
【０００７】
しかしながら、上記の非特許文献１のＳＭＳ配信サービスシステムは、サービスサイトのサーバ１４が複数の送信元からのリスト１２を集めて受信先ＳＭＳ機能付携帯端末１１にＳＭＳメールを配信するシステムであるから、サービスサイトのサーバ１４の設備を大型にしなければならない。このため、利用者側に請求する費用が高くなる。
【０００８】
また、数百人程度の顧客を抱える小規模経営者がＳＭＳメールを配信するために、上記のＳＭＳ配信サービスシステムを利用する場合は、安価な配信費用で利用することができないという課題があった。
【０００９】
また、外部の配信業者に配信リストを登録するものであるからセキュリティの観点からも問題がある。
【００１０】
本発明は以上の課題を解決するためになされたもので、利用者側におけるセキュリティを確保すると共に、低価格で受信先にＳＭＳメールを配信できるＳＭＳメール配信サービスシステムを得ることを目的とする。
【課題を解決するための手段】
【００１１】
本発明のＳＭＳメール配信サービスシステムは、サービスサイトのサーバに外付けのＳＭＳモデムとして設定したサイト側携帯電話機を接続し、このサーバからの利用者側パソコン用アプリＲｐｉ及び利用者側携帯電話機用アプリＲＫＡｐｉを購入して利用する利用者側を、利用者側パソコンとＳＭＳモデム機能部を有する利用者側携帯電話機とで構成し、この利用者側携帯電話機を外付けのＳＭＳモデムとして設定した後に、短い文字メッセージＭｐｉを受信先携帯電話機に送信するＳＭＳメール配信サービスシステムであって、  前記利用者側パソコン用アプリＲｐｉを起動した前記利用者側パソコンは、
配信キューテーブルを備え、さらに、
入力された前記受信先携帯電話機の受信先携帯電話番号と前記短い文字メッセージＭｐｉと配信日時とを含むデータを配信キューＱｉとして生成し、これを入力の順に前記配信キューテーブルに記憶する配信キュー作成処理部と、
前記利用者側携帯電話機から前記配信キューＱｉを要求する配信キュー要求コマンドＲＫＨＹｉを受信した場合は、この受信毎に前記配信キューＱｉを前記配信キューテーブルから抽出する配信キュー抽出処理部と、
前記利用者側携帯電話機からの前記配信キュー要求コマンドＲＫＨＹｉを受信する毎に、これを前記配信キュー抽出処理部に出力する一方、前記抽出された配信キューＱｉを前記利用者側携帯電話機に送信する送受信部と
を有し、
前記利用者側携帯電話機用アプリＲＫＡｐｉを起動した利用者側携帯電話機は、
一定間隔で前記配信キュー要求コマンドＲＫＨＹｉを前記利用者側パソコンに送信する配信キュー問合処理部と、
前記配信キュー要求コマンドＲＫＨＹｉの送信に伴って、前記利用者側パソコンからの前記配信キューＱｉに含まれている受信先携帯電話機携帯電話番号宛で前記配信キューＱｉに含まれている前記短い文字メッセージＭｐｉを当該利用者側携帯電話機のＳＭＳモデム機能部によってＳＭＳメールで送信させるＳＭＳ送信指示処理部とを備えたことを要旨とする。
【発明の効果】
【００１２】
以上のように本発明によれば、利用者側から直接、受信先携帯電話機にＳＭＳメールを送信できるので、利用者側にとっては費用を抑えることができると共に、短い文字メッセージＭｐｉを外部に登録するものではないので、セキュリティを確保できる。
【００１３】
また、利用者側携帯電話機を複数台、利用者側パソコンに接続した場合は、各々の利用者側携帯電話機からの配信キューの要求を異なる間隔で行うようにしているので、利用者側携帯電話機が複数台接続されたとしても、各々の配信キューの要求が重なることがない。
【００１４】
また、異なるサイトからアプリを利用者がダウンロードしたとしても、ＳＭＳメールサービス受付サイトからのアクティブキーＷｉによってのみこれらのアプリが起動状態となるから、スピカバンクが許可した利用者だけが使用可能となる。
【００１５】
さらに、スピカバンクは利用者側の要求によってのみ、１アプリあたりのアクティブキーを発行しているので、その発行数に相当する金額をアプリ販売金額としてＷｅｂ通販サイトに請求したとしても、その金額は間違いなくアプリ販売数に相当する金額となるからトラブルがない。
【図面の簡単な説明】
【００１６】
【図１】本実施の形態のＳＭＳメール配信サービスシステムの概略構成図である。
【図２】利用者側スマホ１５０の利用者側スマホ配信キュー問合アプリＲＫＡＢｐｉを起動した場合の構成図である。
【図３】利用者側パソコン起動アプリＲＡＡｐｉを利用者側パソコン１００において起動した場合の構成図である。
【図４】利用者側スマホ起動アプリＲＫＡＡｐｉを利用者側スマホ１５０において起動した場合の構成図である。
【図５】利用者側スマホ１５０の構成の補充説明図である。
【図６】ＳＭＳメールサービス受付サイトＢのサーバ３００の概略構成図である。
【図７】Ｗｅｂ通販サイトＣのサーバ４００の概略構成図である。
【図８】コンテンツ検索サイトＥのサーバ６００の概略構成図である。
【図９】初回起動時の全体の流れを説明するシーケンス図である。
【図１０】初回起動時の全体の流れを説明するシーケンス図である。
【図１１】初回起動時の全体の流れを説明するシーケンス図である。
【図１２】初回起動時の全体の流れを説明するシーケンス図である。
【図１３】初回起動時の全体の流れを説明するシーケンス図である。
【図１４】初回起動時の全体の流れを説明するシーケンス図である。
【図１５】初回起動時の全体の流れを説明するシーケンス図である。
【図１６】初回起動時の全体の流れを説明するシーケンス図である。
【図１７】シリアルキー入力画面の説明図である。
【図１８】利用者登録情報画面の説明図である。
【図１９】利用者登録要求情報ＲＪｉの説明図である。
【図２０】配信リスト登録処理を説明するフローチャートである。
【図２１】配信リスト登録処理を説明するフローチャートである。
【図２２】配信リスト作成画面の説明図である。
【図２３】グループ別受信先宛メッセージ情報ＵＧＪｉの説明図である。
【図２４】配信リスト作成画面の説明図である。
【図２５】配信リスト作成画面の説明図である。
【図２６】配信リスト作成画面の説明図である。
【図２７】配信リスト作成画面の説明図である。
【図２８】配信リスト作成画面の説明図である。
【図２９】実際のＳＭＳメールの配信を説明するシーケンス図である。
【図３０】非特許文献１のＳＭＳ配信サービスシステムの概略構成図である。
【発明を実施するための形態】
【００１７】
本実施の形態は、小規模な利用者側が携帯電話機（利用者側携帯電話機ともいう）を用いて安価に短い文章を多数の受信先に配信することを可能とする。
【００１８】
短い文章というのは、ＳＭＳメール、Ｃメール、ショートメール等を含むが、本実施の形態ではＳＭＳメールとして説明する。また、利用者側携帯電話機は、スマートフォンを用いるものとする。なお、利用者側が用いるスマートフォンは１台であっても複数であってもかまわないが本実施の形態では２台として説明する。
【００１９】
また、利用者側が用いるスマートフォンは利用者側スマホと称し、受信先のスマートフォンは受信先スマホと称する。また、利用者側とは、学校、クリーニング店、病院、アパレルテナント等である。
【００２０】
さらに、本実施の形態は、テザリングを利用する。テザリングは携帯電話会社の通信網を利用して、パソコンやタブレット端末等をインターネットに接続する機能であり、スマートフォン本体を無線ＬＡＮルータの親機として利用するものである。
【００２１】
なお、テザリングの種類としては、（１）Ｗｉ−Ｆｉ（登録商標）で接続してアクセスポイントとしてネットに接続する方式と、（２）ＵＳＢケーブルで接続する方式と、（３）Ｂｌｕｅｔｏｏｔｈ（登録商標）で接続する方式がある。本実施の形態では、（１）の方式を用いる。
【００２２】
図１は本実施の形態のＳＭＳメール配信サービスシステムの概略構成図である。このＳＭＳメール配信サービスシステムは、図１に示すように、利用者側ＳＭＳメール配信サービスシステムＡと、サービスサイトＦとを接続して構成している。
【００２３】
このサービスサイトＦは、ＳＭＳメールサービス受付サイトＢのサーバ３００と、Ｗｅｂ通販サイトＣのサーバ４００と、クレジットカード会社Ｄのサーバ５００と、コンテンツ検索サイトＥのサーバ６００等から構成されている。
【００２４】
また、本実施の利用者側ＳＭＳメール配信サービスシステムＡは、パソコン本体部８０とモニタ９０と（総称して利用者側パソコン１００という）、スマートフォンである利用者側スマホ１５０を設けて構成している。なお、利用者側スマホ１５０は、第１利用者側スマホ１５０ａと第２利用者側スマホ１５０ｂ（総称して利用者側スマホ１５０という）の２台として説明する。
【００２５】
また、この利用者側ＳＭＳメール配信サービスシステムＡは本実施の形態では学校に設けられている場合を説明する。
【００２６】
そして、利用者側ＳＭＳメール配信サービスシステムＡは、利用者側パソコン１００がインターネット網２００を介してＳＭＳメールサービス受付サイトＢのサーバ３００と、Ｗｅｂ通販サイトＣのサーバ４００と、クレジットカード会社Ｄのサーバ５００と、コンテンツ検索サイトＥのサーバ６００と通信を行って、事前に後述する利用者側パソコン用アプリＲｐｉ（利用者側パソコン起動アプリＲＡＡｐｉと配信キュー送出アプリＲＡＢｐｉ）を利用者側パソコン１００にダウンロードし、かつ利用者側スマホ１５０（１５０ａ、１５０ｂ）の各々が後述する利用者側スマホ用アプリＲＫＡｐｉをコンテンツ検索サイトＥ（例えばｇｏｏｇｌｅＡＰＰ）からダウンロードして、ＳＭＳメールサービス受付サイトＢのサーバ３００からのアクティブキーＷｉによって機能する。
【００２７】
このため、ＳＭＳメールサービス受付サイトＢは、アクティブキーのみを作成して発行すればよいので、ＳＭＳメールサービス受付サイトＢのシステム構築の費用を抑えることができることになるからＳＭＳメールサービスを安価に提供できる。
【００２８】
前述のＳＭＳメールサービス受付サイトＢのサーバ３００は、ＳＭＳメールサービス受付サイトＢ側のスマートフォン（以下サイト側スマホ３５０という）に対してテザリングによって近距離無線接続されている。なお、本実施の形態ではサイト側スマホ３５０は、第１サイト側スマホ３５０ａ、第２サイト側スマホ３５０ｂの２台として説明する。
【００２９】
また、前述の利用者側パソコン用アプリＲｐｉ（利用者側パソコン起動アプリＲＡＡｐｉと配信キュー送出アプリＲＡＢｐｉ）と、後述する利用者側スマホ用アプリＲＫＡｐｉ（利用者側スマホ起動アプリＲＫＡＡｐｉと利用者側スマホ配信キュー問合アプリＲＫＡＢｐｉ）とを総称して利用者側アプリＡｉと称する。
【００３０】
なお、利用者側パソコン用アプリＲｐｉは、Ｗｅｂ通販サイトＣのサーバ４００からインターネット網２００を介して利用者側パソコン１００によってダウンロードされる。
【００３１】
また、利用者側スマホ用アプリＲＫＡｐｉは、コンテンツ検索サイトＥのサーバ６００からインターネット網２００を介して利用者側スマホ１５０（第１利用者側スマホ１５０ａ、第２利用者側スマホ１５０ｂ）によってダウンロードされる。
【００３２】
また、利用者側パソコン用アプリＲｐｉは、スマホが１個の場合の１個用利用者側パソコンアプリＲｐｐｉ（１個用利用者側パソコン起動アプリＲＡＡａｐｉと配信キュー送出アプリＲＡＢｐｉ）又はスマホが複数個の場合の複数個用利用者側パソコンアプリＲｐｑｉ（複数個用利用者側パソコン起動アプリＲＡＡｎｐｉと配信キュー送出アプリＲＡＢｐｉ）がある。
【００３３】
図１においては、利用者側パソコン１００の構成は、Ｗｅｂ通販サイトＣのサーバ４００にインターネット網２００を介してアクセスしてメモリ４１０に記憶されている利用者側パソコン用アプリＲｐｉをメモリ１１０にダウンロードし、この利用者側パソコン用アプリＲｐｉを利用者側パソコン１００のＯＳ１２０（オペレーションシステム）がパソコン側プログラム実行用メモリ１３０に読み出し、ＳＭＳメールサービス受付サイトＢのサーバ３００からのアクティブキーＷｉによって起動状態となっている場合として説明する。
【００３４】
つまり、図１においては、利用者側パソコン用アプリＲｐｉに含まれている配信キュー送出アプリＲＡＢｐｉを起動している場合のその配信キュー送出アプリＲＡＢｐｉの構成を説明している。
【００３５】
一方、利用者側スマホ１５０（１５０ａ、１５０ｂ）は、インターネット網２００を介してコンテンツ検索サイトＥのサーバ６００にアクセスしてメモリ６１０に記憶されている利用者側スマホ用アプリＲＫＡｐｉをダウンロードし、これをスマホ側プログラム実行用メモリ１５５に読み出して起動状態となる。
【００３６】
そして、テザリングによって利用者側パソコン１００と接続状態となって利用者側パソコン１００に対して後述する配信キューＱｉを予め設定されているポーリング間隔αｉで取り込んで、ＳＭＳメール網７００を介して受信先スマホ８００（８００ａ、８００ｂ・・・）に送信する。
【００３７】
＜各部の構成＞
（利用者側パソコン１００の構成）
図１に示すように、利用者側パソコン１００における配信キュー送出アプリＲＡＢｐｉは、配信キュー作成処理部１３２と、配信キュー抽出処理部１３４等から構成されている。
【００３８】
また、利用者側パソコン１００は、無線ＬＡＮ送受信部１４０を有している。
【００３９】
この無線ＬＡＮ送受信部１４０は、利用者側スマホ１５０（１５０ａ、１５０ｂ）のテザリング機能及び利用者側パソコン１００のアクセスポイントの選択によって、利用者側スマホ１５０（１５０ａ、１５０ｂ）が外付けのＳＭＳモデムとして設定される。
【００４０】
つまり、利用者側スマホ１５０（１５０ａ、１５０ｂ）側から利用者側パソコン１００の無線ＬＡＮ送受信部１４０に通信キャリアからのＳＭＳトークインを送信し、接続するＳＭＳモデム名となるネットワークＳＳＩＤ（利用者側スマホ携帯電話番号）と通信キャリアからの共通鍵（パスワード）を利用者側パソコン１００の無線ＬＡＮ送受信部１４０に設定し、利用者が利用者側パソコン１００を操作してアクセスポイントを利用者側スマホ（１５０ａ、１５０ｂ）を選択することによって利用者側スマホ１５０（１５０ａ、１５０ｂ）を外付けＳＭＳモデムに設定している。
【００４１】
すなわち、利用者側パソコン１００と利用者側スマホ１５０（１５０ａ、１５０ｂ）とは近距離の無線ＬＡＮ接続状態（ペアリングともいう）となる。
【００４２】
前述の配信キュー作成処理部１３２は、メモリ１３５に配信キューテーブル１３６を生成する。そして、後述する配信リスト入力画面を表示させ、入力された受信先宛メッセージ情報ＲＵＪｉ（受信先スマホ携帯電話番号ｕｔｅｉ、短い文字メッセージＭｐｉ、配信日時ｒｈｔｉ・・・）をメモリ１３３に記憶する。そして、この受信先宛メッセージ情報ＲＵＪｉに基づいた配信キューＱｉを生成して、これを入力の順に配信キューテーブル１３６に記憶する。
【００４３】
配信キュー抽出処理部１３４は、前記配信キューＱｉを要求する配信キュー要求コマンドＲＫＨＹｉを無線ＬＡＮ送受信部１４０から受信し、この受信毎にパソコン側タイマー１３７の現在日時ｒｇｔｉを読み込む。
【００４４】
そして、この現在日時ｒｇｔｉに対して、配信キュー要求コマンドＲＫＨＹｉに付加されているポーリング間隔αｉを加算した配信日時ｒｈｔｉを有する配信キューＱｉを配信キューテーブル１３６から抽出して、これを無線ＬＡＮ送受信部１４０に送出する。
【００４５】
また、無線ＬＡＮ送受信部１４０は、利用者側スマホ１５０（１５０ａ、１５０ｂ）からの短い文字メッセージＭｐｉの送信結果をメモリ１３８に記憶する。
【００４６】
（利用者側スマホ１５０の構成）
図２は利用者側スマホ１５０の利用者側スマホ配信キュー問合アプリＲＫＡＢｐｉを起動した場合の構成図である。
【００４７】
図２においては、利用者側スマホ１５０（１５０ａ、１５０ｂ）は、コンテンツ検索サイトＥのサーバ６００からインターネット網２００を介して利用者側スマホ用アプリＲＫＡｐｉ（利用者側スマホ起動アプリＲＫＡＡｐｉ、利用者側スマホ配信キュー問合アプリＲＫＡＢｐｉ）をメモリ１５２にダウンロードする。
【００４８】
そして、スマホ側ＯＳ１５３（Ａｎｄｒｏｉｄ（登録商標））がスマホ側プログラム実行用メモリ１５５に利用者側スマホ用アプリＲＫＡｐｉに含まれている利用者側スマホ配信キュー問合アプリＲＫＡＢｐｉを読み出して起動状態となっている構成として説明する。
【００４９】
なお、利用者側スマホ配信キュー問合アプリＲＫＡＢｐｉは後述する利用者側スマホ起動アプリＲＫＡＡｐｉによって起動する。
【００５０】
図２に示すように、利用者側スマホ１５０（１５０ａ、１５０ｂ）の利用者側スマホ配信キュー問合アプリＲＫＡＢｐｉは、配信キュー問合処理部１５６と、ＳＭＳ送信指示処理部１５７等から構成されている。
【００５１】
なお、利用者側スマホ１５０（１５０ａ、１５０ｂ）は、ＳＭＳモデム機能部１５９を有している。
【００５２】
このＳＭＳモデム機能部１５９は、ＳＭＳ送信指示処理部１５７からの受信先スマホ携帯電話番号ｕｔｅｉ宛でＳＭＳメールをＳＭＳメール網７００によって送信する。
【００５３】
配信キュー問合処理部１５６は、第１スマホ側タイマー１５８ａがポーリング間隔αｉを計測する毎に、このポーリング間隔αｉを付加した配信キュー要求コマンドＲＫＨＹｉ（プロトコルはＴＣＰ/ＩＰ）を利用者側パソコン１００に送信する。
【００５４】
ＳＭＳ送信指示処理部１５７は、配信キュー要求コマンドＲＫＨＹｉの送信に伴って、利用者側パソコン１００から配信キューＱｉを受信した場合は、この配信キューＱｉに含まれている受信先スマホ携帯電話番号ｕｔｅｉ、短い文字メッセージＭｐｉをＳＭＳモデム機能部１５９に出力して、受信先スマホ８００（８００ａ、８００ｂ・・・）に送信する。
【００５５】
＜各起動アプリの構成＞
（利用者側パソコン１００の利用者側パソコン起動アプリＲＡＡｐｉ）
図３は利用者側パソコン起動アプリＲＡＡｐｉを利用者側パソコン１００において起動した場合の構成図である。
【００５６】
なお、図３は利用者側パソコン１００がＷｅｂ通販サイトＣのサーバ４００にインターネット網２００を介してアクセスして利用者側パソコン用アプリＲｐｉをメモリ１１０にダウンロードし、この利用者側パソコン用アプリＲｐｉの利用者側パソコン起動アプリＲＡＡｐｉをＯＳ１２０がパソコン側プログラム実行用メモリ１３０に読み出して起動状態にした場合の構成図である。
【００５７】
図３に示すように、利用者側パソコン１００における利用者側パソコン起動アプリＲＡＡｐｉは、利用者登録情報作成処理部１６０と、アクティブキー送信処理部１６２と、利用者側パソコンアプリ起動判定処理部１６４等から構成されている。
【００５８】
利用者登録情報作成処理部１６０は、前述の配信リスト入力画面の一種であるシリアルキー入力画面を画面に表示し、このシリアルキー入力画面に入力された利用者側アプリの購入を示すシリアルキーｃｈｉが利用者側パソコン用アプリＲｐｉに付加されているシリアルキーｃｈｉに一致した場合に、配信リスト入力画面の一種である利用者側スマホ携帯電話番号入力画面を表示させる。
【００５９】
そして、利用者側の属性情報（業種等）を入力させる前述の配信リスト入力画面の一種である利用者登録情報画面を表示させる。そして、入力されたシリアルキーｃｈｉと、入力された利用者側の属性情報と利用者側スマホ１５０の利用者側スマホ携帯電話番号ｒｔｅｉとを関連付け、これを利用者登録要求情報ＲＪｉ（但し受付年月日時刻ｒｚｔｉを含む）としてメモリ１６６に記憶する。
【００６０】
アクティブキー送信処理部１６２は、メモリ１６６の利用者登録要求情報ＲＪｉにアクティブキーを要求するコマンドを付加したアクティブキー要求コマンドＲＫＹｉをインターネット網２００を介してＳＭＳメールサービス受付サイトＢのサーバ３００に送信すると共に、配信キュー送出アプリＲＡＢｐｉを待機状態にする。
【００６１】
つまり、利用者側パソコン１００の配信キュー作成処理部１３２及び配信キュー抽出処理部１３４を待機状態にする。
【００６２】
利用者側パソコンアプリ起動判定処理部１６４は、アクティブキー要求コマンドＲＫＹｉの送信に伴ってＳＭＳメールサービス受付サイトＢ（スピカバンク）のサーバ３００からインターネット網２００を介してアクティブキーＷｉを受信したとき、このアクティブキーＷｉに含まれている携帯電話番号がメモリ１６６の利用者登録要求情報ＲＪｉの利用者側スマホ携帯電話番号ｒｔｅｉに一致した場合に、利用者側パソコン用アプリＲｐｉの配信キュー送出アプリＲＡＢｐｉを起動状態にする。
【００６３】
（利用者側スマホ１５０の利用者側スマホ起動アプリＲＫＡＡｐｉ）
図４は利用者側スマホ起動アプリＲＫＡＡｐｉを利用者側スマホ１５０において起動した場合の構成図である。
【００６４】
図４においては、メモリ１５２の利用者側スマホ用アプリＲＫＡｐｉに含まれている利用者側スマホ起動アプリＲＫＡＡｐｉをスマホ側プログラム実行用メモリ１５５に読み出して起動状態となっている場合の構成を示している。
【００６５】
図４に示すように、利用者側スマホ１５０の利用者側スマホ用アプリＲＫＡｐｉに含まれている利用者側スマホ起動アプリＲＫＡＡｐｉは、サイト側スマホ指定処理部１７０と、利用者側スマホ起動判定処理部１７２等から構成されている。
【００６６】
サイト側スマホ指定処理部１７０は、ＳＭＳモデム機能部１５９が外付けＳＭＳモデムとして設定され、かつ利用者側スマホ起動アプリＲＫＡＡｐｉをスマホ側プログラム実行用メモリ１５５に読み出した場合は、サイト側スマホ３５０のサイト側電話番号入力画面を表示し、この入力画面において入力されたサイト側スマホ携帯電話番号ｓｔｅｉをＳＭＳモデム機能部１５９に設定して、このサイト側スマホ携帯電話番号ｓｔｅｉを有するＳＭＳメールのみの受信許可状態にする。
【００６７】
利用者側スマホ起動判定処理部１７２は、ＳＭＳモデム機能部１５９がサイト側スマホ３５０からＳＭＳメールを受信するまで利用者側スマホ配信キュー問合アプリＲＫＡＢｐｉ（配信キュー問合処理部１５６及びＳＭＳ送信指示処理部１５７）を待機状態（停止状態ともいう）にする。
【００６８】
そして、ＳＭＳモデム機能部１５９がＳＭＳメールをサイト側スマホ３５０から受信した場合は、このＳＭＳメールに含まれているアクティブキーＷｉで利用者側スマホ配信キュー問合アプリＲＫＡＢｐｉを起動する。
【００６９】
そして、オペレータの終了指示に伴って利用者側スマホ用アプリＲＫＡｐｉ（利用者側スマホ起動アプリＲＫＡＡｐｉ、利用者側スマホ配信キュー問合アプリＲＫＡＢｐｉ）をスマホ側アプリ管理用メモリ１９０ａに記憶する。
【００７０】
また、利用者側スマホ起動判定処理部１７２は、スマホ側アプリ管理用メモリ１９０ａの利用者側スマホ用アプリＲＫＡｐｉのアイコンを画面に表示し、このアイコンの選択に伴ってメモリ１９０ｂのアクティブキーＷｉの使用期限と第２スマホ側タイマー１５８ｂの現在日時と比較して、この現在日時が使用期限内の場合は、利用者側スマホ用アプリＲＫＡｐｉ（利用者側スマホ起動アプリＲＫＡＡｐｉ、利用者側スマホ配信キュー問合アプリＲＫＡＢｐｉ）をスマホ側プログラム実行用メモリ１５５に読み出させる。
【００７１】
さらに、利用者側スマホ起動判定処理部１７２は、第２スマホ側タイマー１５８ｂの現在日時がアクティブキーＷｉに含まれている使用期限を超過している場合は、利用者側スマホ用アプリＲＫＡｐｉの使用不許可を画面に表示する。
【００７２】
前述の利用者側スマホ１５０の構成を、図５を用いて補充する。図５に示すように、利用者側スマホ１５０は、スマホデバイス部１９０と、スマホ側ＯＳ部１５３と、ミドルウエアー部１９２と、スマホ側プログラム実行用メモリ１５５に読み出された利用者側スマホ用アプリＲＫＡｐｉ（利用者側スマホ起動アプリＲＫＡＡｐｉ、利用者側スマホ配信キュー問合アプリＲＫＡＢｐｉ）等で構成されている。
【００７３】
スマホ側ＯＳ部１５３には、ｗｉ−ｆｉ（登録商標）機能部１５３ａとＳＭＳモデム機能部１５９等が位置する。さらに、ミドルウエアー部１９２には、テザリング機能部１９２ａと、第１スマホ側タイマー１５８ａ及び第２スマホ側タイマー１５８ｂが位置する。
【００７４】
また、スマホデバイス部１９０には、ダウンロード用のメモリ１５２と、スマホ側アプリ管理用メモリ１９０ａと、アクティブキーＷｉ用のメモリ１９０ｂ等を有している。
【００７５】
＜各サイトの説明＞
但し、クレジットカード会社Ｄのサーバ５００の処理は周知な処理であるから説明は後述するシーケンス図で説明する。
【００７６】
（ＳＭＳメールサービス受付サイトＢ）
ＳＭＳメールサービス受付サイトＢのサーバ３００は、図６に示す構成を備えている。
【００７７】
図６に示すように、利用者側登録情報受信部３４０と、アクティブキー作成部３５３と、アクティブキー用配信キュー作成部３５７と、アクティブキー配信キュー抽出部３９０と、無線ＬＡＮ通信部３７０と、アクティブキー送信部３８０等を備えている。
【００７８】
利用者側登録情報受信部３４０は、インターネット網２００を介して利用者側パソコン１００からのアクティブキー要求コマンドＲＫＹｉ（利用者登録要求情報ＲＪｉ、利用者側パソコン１００のＩＰアドレスを含む）を受信し、これをメモリ３１０に登録する。このとき受付番号を付加して記憶するのが好ましい。
【００７９】
アクティブキー作成部３５３は、メモリ３１０にアクティブキー要求コマンドＲＫＹｉが登録された場合は、このアクティブキー要求コマンドＲＫＹｉに含まれている利用者登録要求情報ＲＪｉに基づいたアクティブキーＷｉを作成してメモリ３５５に記憶する。
【００８０】
アクティブキー用配信キュー作成部３５７は、アクティブキー要求コマンドＲＫＹｉの受信に伴って（メモリ３５５にアクティブキーＷｉが記憶される毎に）、アクティブキー要求コマンドＲＫＹｉに含まれている利用者登録要求情報ＲＪｉの受付年月日時刻ｒｚｔｉを読み込み、メモリ３５４に記憶されているサイト側スマホ３５０（３５０ａ、３５０ｂ）の単位時間ｓｗｔｉ（サイト側スマホポーリング間隔αｓｉ）を付加したアクティブキー配信日時ｗｈｔｉを求める。
【００８１】
そして、アクティブキー用配信キュー作成部３５７は、メモリ３５６のアクティブキー用配信キューテーブル（図示せず）に、このアクティブキー配信日時ｗｈｔｉとアクティブキーＷｉと利用者登録要求情報ＲＪｉに含まれている利用者側スマホ携帯電話番号ｒｔｅｉとを記憶する。
【００８２】
なお、アクティブキー用配信キューテーブルには、予め文字メッセージＳＭｐｉ（例えば「サービスサイト側からアクティブキーを送信します」）が記憶されている。
【００８３】
すなわち、メモリ３５６のアクティブキー用配信キューテーブルには、文字メッセージＳＭｐｉ、アクティブキーＷｉ及びアクティブキー配信日時ｗｈｔｉ並びに利用者側スマホ携帯電話番号ｒｔｅｉ等（受付番号を含んでもよい）からなるデータがアクティブキー用配信キューＷＱｉとして記憶されることになる。
【００８４】
前述の単位時間ｓｗｔｉは、サイト側スマホ３５０（３５０ａ、３５０ｂ）のポーリング間隔（以下サイト側スマホポーリング間隔αｓｉという）である。第１サイト側スマホ３５０ａのサイト側スマホポーリング間隔αｓｉが例えば０．１秒間隔の場合は、この０．１秒を第１サイト側スマホ３５０ａのサイト側スマホポーリング間隔αｓｉとしてメモリ３５４に記憶している。
【００８５】
また、第２サイト側スマホ３５０ｂのサイト側スマホポーリング間隔αｓｉが例えば０．２秒間隔の場合は、この０．２秒を第２サイト側スマホ３５０ｂのサイト側スマホポーリング間隔αｓｉとしてメモリ３５４に記憶している。
【００８６】
無線ＬＡＮ通信部３７０は、サイト側スマホ３５０（３５０ａ、３５０ｂ）は、サーバ３００によって外付けＳＭＳモデムとして設定され、アクティブキー配信キュー抽出部３９０からの短い文字メッセージＳＭｐｉと利用者側スマホ携帯電話番号ｒｔｅｉとの組をサイト側スマホ３５０（３５０ａ、３５０ｂ）に送信する。
【００８７】
また、無線ＬＡＮ通信部３７０は、サイト側スマホ３５０（３５０ａ、３５０ｂ）からアクティブキー有無問合情報ＷＹｊｉ（サイト側スマホ３５０の携帯電話番号ｓｔｅｉ、サイト側スマホポーリング間隔αｓｉを含む）を受信する毎に、これをアクティブキー配信キュー抽出部３９０に出力する。
【００８８】
アクティブキー送信部３８０は、メモリ３５５に記憶されたアクティブキーＷｉをＳＳＬで利用者側パソコン１００にインターネット網２００を介して送信する。
【００８９】
アクティブキー配信キュー抽出部３９０は、アクティブキー有無問合情報ＷＹｊｉが受信される毎に、メモリ３５５にアクティブキー用配信キューＷＱｉが存在するかどうかを判断する。そして、存在する場合は、アクティブキー有無問合情報ＷＹｊｉに含まれているサイト側スマホポーリング間隔αｓｉをサイト側タイマー３９２の現在日時（以下サイト側現在日時ｓｇｔｅｉという）に加算し、これを実サイト配信日時ｓｇｈｔｉとする。
【００９０】
そして、この実サイト側配信日時ｓｇｈｔｉに一致するアクティブキー配信日時ｗｈｔｉを有するアクティブキー用配信キューＷＱｉである場合は、これを抽出し、この抽出したアクティブキー用配信キューＷＱｉに含まれている短い文字メッセージＳＭｐｉと利用者側スマホ携帯電話番号ｒｔｅｉとを無線ＬＡＮ通信部３７０に出力する。
【００９１】
一方、サイト側スマホ３５０（３５０ａ、３５０ｂ）は、図６に示すように、サイト側アクティブキー問合部３５２を有している。
【００９２】
このサイト側アクティブキー問合部３５２は、内部タイマー（図示せず）がサイト側スマホポーリング間隔αｓｉを計測する毎に、このサイト側スマホポーリング間隔αｓｉを含めたアクティブキー有無問合情報ＷＹｊｉ（サイト側スマホ３５０の携帯電話番号ｓｔｅｉ、サイト側スマホポーリング間隔αｓｉを含む）をＳＭＳメールサービス受付サイトのサーバ３００に送信する。
【００９３】
なお、サイト側スマホポーリング間隔αｓｉは、第１サイト側スマホ３５０ａ又は第２サイト側スマホ３５０ｂによって異なっている。
【００９４】
また、前述の無線ＬＡＮ通信部３７０及びアクティブキー配信キュー抽出部３９０を総称してサイト側ＳＭＳメール送信部３５８と称する。
【００９５】
（  Ｗｅｂ通販サイトＣ）
図７はＷｅｂ通販サイトＣのサーバ４００の概略構成図である。図７に示すように、Ｗｅｂ通販サイトＣ（例えばアマゾン）のサーバ４００は、ＳＭＳメールサービス受付サイトＢから事前に提供されている複数のシリアルキーｃｈｉを記憶したメモリ４１０と、利用者側パソコン用アプリＲｐｉを記憶したメモリ４２０と、商品購入情報ＲＨｊｉ（Ｅメールアドレス、使用スマホ数ｒｓｍｉ、使用期間ｋｉ、・・）を含む利用者側ダウンロード要求ＲＣｊｉが記憶されるメモリ４４０等を備えている。
【００９６】
なお、この利用者側パソコン用アプリＲｐｉは、１個用利用者側パソコンアプリＲｐｐｉと複数個用利用者側パソコンアプリＲｐｑｉとからなる。
【００９７】
利用者側パソコン用アプリ提供部４３０は、インターネット網２００を介して商品ページ（利用者側パソコン用アプリＲｐｉのアイコンを含む）を提供し、この商品ページにおいて商品が選択された場合に、購入情報入力画面（図示せず）を送信する。
【００９８】
そして、Ｗｅｂ通販サイトＣのサーバ４００の利用者側パソコン用アプリ提供部４３０は、購入情報入力画面に入力された利用者側パソコン１００における商品購入情報ＲＨｊｉ（Ｅメールアドレス、使用スマホ数ｒｓｍｉ、使用期間ｋｉ、・・）に利用者側パソコン１００のＩＰアドレスが付加されたものを利用者側パソコン用アプリＲｐｉの利用者側ダウンロード要求ＲＣｊｉとして受信し、これをメモリ４４０に記憶する。
【００９９】
また、利用者側パソコン用アプリ提供部４３０は、メモリ４４０の利用者側ダウンロード要求ＲＣｊｉに含まれている商品購入情報ＲＨｊｉの使用スマホ数ｒｓｍｉ、使用期間ｋｉに基づいて金額を求め、この金額を利用者側パソコン１００に送信して購入情報入力画面の金額欄に表示させる。
【０１００】
そして、利用者側パソコン１００から購入情報入力画面における購入ボタン（図示）が選択された場合は、メモリ４４０の利用者側ダウンロード要求ＲＣｊｉ（商品購入情報ＲＨｊｉを含む）と購入指示とをカード会社のサーバ５００に送信して決済を受けさせる。
【０１０１】
そして、利用者側パソコン用アプリ提供部４３０は、カード会社のサーバ５００から利用可能が知らせられた場合にメモリ４２０の利用者側パソコン用アプリＲｐｉをインターネット網２００を介して利用者側パソコン１００に送信すると共に、図示しないメーラを起動させて商品購入情報ＲＨｊｉのＥメールアドレス宛でシリアルキーｃｈｉを送信する。
【０１０２】
（コンテンツ検索サイトＥ）
図８はコンテンツ検索サイトＥのサーバ６００の概略構成図である。
【０１０３】
図８に示すように、コンテンツ検索サイトＥのサーバ６００は、利用者側スマホ１５０のＯＳ（Ａｎｄｒｏｉｄ（登録商標票））仕様の利用者側スマホ用アプリＲＫＡｐｉを記憶したメモリ６１０と、サイト側スマホ携帯電話番号ｓｔｅｉを記憶したメモリ６２０と、利用者側スマホ用アプリ提供部６４０等を供えている。
【０１０４】
利用者側スマホ用アプリ提供部６４０は、利用者側スマホ１５０（１５０ａ、１５０ｂ）から利用者側スマホダウンロード要求ＲＳＤＹｊｉを受信した場合は、この利用者側スマホダウンロード要求ＲＳＤＹｊｉ（利用者側スマホのＩＰアドレス、年月日、時刻付）に受付番号を付加してメモリ６３０に記憶する。
【０１０５】
そして、メモリ６１０の利用者側スマホ用アプリＲＫＡｐｉを読み出してメモリ６２０のサイト側スマホ携帯電話番号ｓｔｅｉを付加してインターネット網２００を介して利用者側スマホダウンロード要求ＲＳＤＹｊｉを送信した利用者側スマホ１５０に送信する。
【０１０６】
＜全体説明＞
上記のように構成されたＳＭＳ配信サービスシステムについてシーケンス図を用いて説明する。
【０１０７】
初めに利用者側パソコン用アプリＲｐｉ（利用者側パソコン起動アプリＲＡＡｐｉと配信キュー送出アプリＲＡＢｐｉ）と、利用者側スマホ用アプリＲＫＡｐｉ（利用者側スマホ起動アプリＲＫＡＡｐｉと利用者側スマホ配信キュー問合アプリＲＫＡＢｐｉ）とを初めてダウンロードして起動状態にするまでの流れを初回起動時の動作として説明する。
【０１０８】
（初回起動時）
図９から図１６は初回起動時の全体の流れを説明するシーケンス図である。図９から図１３は利用者側パソコン１００における初回時の利用者側パソコン用アプリＲｐｉを起動するシーケンスであり、図１４及び図１５は利用者側スマホ１５０の初回時における利用者側スマホ用アプリＲＫＡｐｉを起動するシーケンスである。
【０１０９】
図１６は利用者側パソコン１００及び利用者側スマホ１５０の各々のアプリが起動状態となっているときの処理を説明するシーケンス図である。
【０１１０】
初めに利用者側パソコン１００を説明する。
【０１１１】
図９に示すように、本実施の形態では、ＳＭＳメールサービス受付サイトＢのサーバ３００とサイト側スマホ３５０（３５０ａ、３５０ｂ）並びに、利用者側パソコン１００と利用者側スマホ１５０（１５０ａ、１５０ｂ）とは、各々がペアリング設定されているとする（ｄ１、ｄ２）。
【０１１２】
また、サイト側スマホ３５０（３５０ａ、３５０ｂ）には、サイト側アクティブキー問合部３５２を有し、ＳＭＳメールサービス受付サイトＢのサーバ３００にはアクティブキー配信キュー抽出部３９０を有しているとして説明する。
【０１１３】
つまり、サイト側スマホ３５０（３５０ａ、３５０ｂ）は、各々が異なるサイト側スマホポーリング間隔αｓｉでアクティブキー有無問合情報ＷＹｊｉを定期的にＳＭＳメールサービス受付サイトＢのサーバ３００に送信している（ｄ６）。
【０１１４】
そして、図９に示すように、利用者側パソコン１００は、ブラウザによってインターネット網２００を介してＷｅｂ通販サイトＣのサーバ４００にアクセスして（ｄ３）、商品を購入するための購入情報入力画面の提供を受ける（ｄ５）。
【０１１５】
この購入情報入力画面は、例えば商品名、商品コード、氏名欄、メールアドレス欄、利用者側の電話番号欄、ＳＭＳモデムとして使用する利用者側スマホ数欄、使用期間欄、住所欄等からなる。
【０１１６】
利用者側パソコン１００は、この購入情報入力画面において商品コード、氏名、利用者名、Ｅメールアドレス、利用者側の使用スマホ数、金額欄、住所、使用期間等を商品購入情報ＲＨｊｉ（利用者側パソコン１００のＩＰアドレス含む）に利用者側パソコン１００のＩＰアドレスを付加した利用者側ダウンロード要求ＲＣｊｉとしてインターネット網２００を介してＷｅｂ通販サイトＣのサーバ４００に送信する（ｄ７）。
【０１１７】
Ｗｅｂ通販サイトＣのサーバ４００の利用者側パソコン用アプリ提供部４３０は、この利用者側ダウンロード要求ＲＣｊｉを受信し、これに受付番号を付加してメモリ４４０に記憶する（ｄ９）。
【０１１８】
そして、利用者側パソコン用アプリ提供部４３０は、メモリ４４０の利用者側ダウンロード要求ＲＣｊｉの使用スマホ数ｒｓｍｉ、使用期間ｋｉを読み込み、金額を求め（ｄ１１）、この金額を利用者側パソコン１００に送信して購入情報入力画面の金額欄に表示させる（ｄ１３）。
【０１１９】
そして、利用者側パソコン１００は、購入情報入力画面における購入ボタン（図示）が選択された場合は、購入指示をＷｅｂ通販サイトＣのサーバ４００にインターネット網２００を介して送信する（ｄ１５）。
【０１２０】
一方、Ｗｅｂ通販サイトＣのサーバ４００の利用者側パソコン用アプリ提供部４３０は、利用者側パソコン１００から購入指示を受信した場合は、メモリ４４０の利用者側ダウンロード要求ＲＣｊｉと購入指示とをカード会社のサーバ５００に送信する（ｄ１７）。
【０１２１】
カード会社のサーバ５００は、利用者側ダウンロード要求ＲＣｊｉと購入指示を受信した場合は、この利用者側ダウンロード要求ＲＣｊｉに含まれている商品購入情報ＲＨｊｉの商品コード、氏名、利用者名、Ｅメールアドレス、利用者側の使用スマホ数、金額、住所、使用期間ｋｉ並びにカード番号欄、カード会社名欄、暗証番号欄等からなるカード決済入力画面ＪＣｐｉを利用者側パソコン１００に送信する（ｄ１９）。
【０１２２】
利用者側パソコン１００は、カード決済入力画面ＪＣｐｉを受信し、ブラウザによってこれを画面に表示し、このカード決済入力画面ＪＣｐｉに入力されたカード番号、カード会社名、暗証番号等をカード決済要求情報ＪＣｋｉとしてインターネット網２００を介してカード会社のサーバ５００に送信する（ｄ２１）。
【０１２３】
カード会社のサーバ５００は、カード決済要求情報ＪＣｋｉに基づいて認証を行い、この認証結果（商品購入情報ＲＨｊｉの受付番号付）をＷｅｂ通販サイトＣのサーバ４００及び利用者側パソコン１００に送信する（ｄ２３、ｄ２５）。本実施の形態では、認証結果は利用可能（ＯＫ）であるとする。
【０１２４】
一方、図１０に示すように、Ｗｅｂ通販サイトＣのサーバ４００の利用者側パソコン用アプリ提供部４３０は、クレジットカード会社Ｄのサーバ５００からの認証結果が利用可能を示している場合は、この認証結果に含まれている受付番号を有するメモリ４４０の利用者側ダウンロード要求ＲＣｊｉに含まれている商品購入情報ＲＨｊｉを読み込み、この商品購入情報ＲＨｊｉに含まれている使用スマホ数ｒｓｍｉを判定する（ｄ３０）。
【０１２５】
使用スマホ数ｒｓｍｉが１個の場合は、１個用利用者側パソコンアプリＲｐｐｉ（利用者側パソコン起動アプリＲＡＡｐｉと配信キュー送出アプリＲＡＢｐｉ）をメモリ４２０から読み込む（ｄ３２）。
【０１２６】
そして、メモリ４１０のいずれかのシリアルキーｃｈｉを読み込み（ｄ３４）、１個用利用者側パソコンアプリＲｐｐｉ（利用者側パソコン起動アプリＲＡＡｐｉと配信キュー送出アプリＲＡＢｐｉ）に読み込んだシリアルキーｃｈｉを付加して利用者側パソコン１００にインターネット網２００を介して送信する（ｄ３６）。前述のシリアルキーｃｈｉは、年月日、時刻、乱数等に基づいた２０桁程度のコード列である。
【０１２７】
また、利用者側パソコン用アプリ提供部４３０は使用スマホ数ｒｓｍｉが複数個（本実施の形態では２個）の場合は、メモリ４１０のいずれかのシリアルキーｃｈｉを読み込み（ｄ３８）、かつメモリ４２０から複数個用利用者側パソコンアプリＲｐｑｉ（複数個用利用者側スマホ起動アプリＲＡＡｐｉと配信キュー送出アプリＲＡＢｐｉ）を読み込む（ｄ４０）。
【０１２８】
そして、この読み込んだシリアルキーｃｈｉを付加して利用者側パソコン１００にインターネット網２００を介して送信する（ｄ４２）。
【０１２９】
一方、利用者側パソコン１００は、Ｗｅｂ通販サイトＣのサーバ４００からの１個用利用者側パソコンアプリＲｐｐｉ（利用者側パソコン起動アプリＲＡＡｐｉと配信キュー送出アプリＲＡＢｐｉ）又は複数個用利用者側パソコンアプリＲｐｑｉ（複数個用利用者側スマホ起動アプリＲＡＡｐｉと配信キュー送出アプリＲＡＢｐｉ）を受信し、メモリ１１０にダウンロードする（ｄ４４、ｄ４６）。
【０１３０】
また、Ｗｅｂ通販サイトＣのサーバ４００の利用者側パソコン用アプリ提供部４３０は、メモリ４４０の利用者側ダウンロード要求ＲＣｊｉに含まれている商品購入情報ＲＨｊｉの利用者側パソコン１００のＥメールアドレスを読み込み、メーラによってメールアドレス宛でシリアルキーｃｈｉを送信する（ｄ４８）。
【０１３１】
すなわち、利用者側パソコン１００は、Ｗｅｂ通販サイトＣのサーバ４００から利用者側パソコン用アプリＲｐｉ（１個用利用者側パソコンアプリＲｐｐｉ又は複数個用利用者側パソコンアプリＲｐｑｉ）をメモリ１１０にダウンロードして、ＯＳ１２０がパソコン側プログラム実行用メモリ１３０にこれを読み出すことによって、配信キュー作成処理部１３２と、配信キュー抽出処理部１３４と、利用者登録情報作成処理部１６０と、アクティブキー送信処理部１６２と、利用者側パソコンアプリ起動判定処理部１６４等を有することになる。
【０１３２】
次に、利用者側パソコン１００の利用者登録情報作成処理部１６０は、図１１に示すように、シリアルキー入力画面を表示（図１７参照）する（ｄ５１）。
【０１３３】
そして、オペレータはこのシリアルキー入力画面において、Ｅメールで送られてきたシリアルキーｃｈｉを入力する。
【０１３４】
次に、利用者登録情報作成処理部１６０は、このシリアルキーｃｈｉが利用者側パソコン用アプリＲｐｉに含まれているシリアルキーｃｈｉに一致するかどうかを判断する（ｄ５３）。
【０１３５】
一致と判断した場合は、図１８（ａ）に示す利用者側スマホ携帯電話番号入力画面を表示する（ｄ５５）。
【０１３６】
利用者側スマホ携帯電話番号入力画面は、１個用利用者側パソコンアプリＲｐｐｉの場合は、図１８（ａ）に示す１個用の登録画面を表示し、複数個用利用者側パソコンアプリＲｐｑｉの場合は、図１８（ｂ）に示す複数個用の登録画面を表示する。
【０１３７】
そして、このいずれかの登録画面において、利用者側スマホ携帯電話番号ｒｔｅｉを入力した後に、「次」が選択された場合は、利用者登録情報作成処理部１６０は、図１８（ｃ）に示す利用者登録情報画面を表示する（ｄ５７）。
【０１３８】
そして、利用者登録情報作成処理部１６０は、この利用者登録情報画面において「登録ボタン」が選択された場合は、選択された業種ｒｇｉ（学校、病院、クリーニング・・・）と入力されたシリアルキーｃｈｉと利用者側スマホ携帯電話番号ｒｔｅｉとを関連付けてこれを利用者登録要求情報ＲＪｉとしてメモリ１６６に記憶する（ｄ５９）。このとき、年月日時刻ｒｄｔｉが付加されて記憶される。
【０１３９】
この利用者登録要求情報ＲＪｉは、１個用の場合は図１９（ａ）に示すように、利用者側スマホ携帯電話番号ｒｔｅｉは1個で記憶される。
【０１４０】
また、複数個の場合は、図１９（ｂ）に示すように、シリアルキーｃｈｉに、入力された利用者側スマホ携帯電話番号ｒｔｅｉ（ｒｔｅ１、ｒｔｅ２）が全てリンク付けされる。
【０１４１】
そして、利用者側パソコン１００のアクティブキー送信処理部１６２は、メモリ１６６に利用者登録要求情報ＲＪｉが記憶されたとき、メモリ１６６の利用者登録要求情報ＲＪｉにアクティブキーを要求するコマンドを付加し、これをアクティブキー要求コマンドＲＫＹｉ（利用者側パソコン１００のＩＰアドレスを含む）としてインターネット網２００を介してＳＭＳメールサービス受付サイトＢ（スピカバンク）のサーバ３００に送信する（ｄ６１）と共に、利用者側パソコン用アプリＲｐｉの配信キュー送出アプリＲＡＢｐｉである配信キュー作成処理部１３２及び配信キュー抽出処理部１３４を待機状態（停止状態）にする（ｄ６３）。
【０１４２】
一方、ＳＭＳメールサービス受付サイトＢのサーバ３００の利用者側登録情報受信部３４０は、利用者側パソコン１００からのアクティブキー要求コマンドＲＫＹｉを受信し、これをメモリ３１０に登録する（ｄ６５）。
【０１４３】
そして、図１２に示すように、ＳＭＳメールサービス受付サイトＢのサーバ３００のアクティブキー作成部３５３は、メモリ３１０にアクティブキー要求コマンドＲＫＹｉが登録された場合は、このアクティブキー要求コマンドＲＫＹｉに含まれている利用者登録要求情報ＲＪｉのシリアルキーｃｈｉ、利用者側スマホ携帯電話番号ｒｔｅｉ、受付年月日時刻ｒｚｔｉと、乱数発生器（図示せず）の乱数、業種ｒｇｉ、使用スマホ数ｒｓｍｉ等に基づいたアクティブキーＷｉを作成して（ｄ７０）、これをメモリ３５５に記憶する（ｄ７２）。このアクティブキーＷｉは、例えば「ＳＤＰＷＹ−ＤＨＩＬＥ―ＳＹＷＬＰ−４Ｆ３Ｕ７−ＺＰＳＰ２」というコード列である。
【０１４４】
なお、利用者登録要求情報ＲＪｉの使用スマホ数ｒｓｍｉが複数の場合は、アクティブキーＷｉは複数個作成する。
【０１４５】
そして、アクティブキー用配信キュー作成部３５７は、アクティブキー要求コマンドＲＫＹｉの受信に伴って（メモリ３５５にアクティブキーＷｉが記憶される毎に）、アクティブキー要求コマンドＲＫＹｉに含まれている利用者登録要求情報ＲＪｉの受付年月日時刻ｒｚｔｉを読み込み、メモリ３５４に記憶されているサイト側スマホ３５０（３５０ａ、３５０ｂ）の単位時間ｓｗｔｉ（サイト側スマホポーリング間隔αｓｉ）を付加したアクティブキー配信日時ｗｈｔｉを求める。
【０１４６】
そして、アクティブキー用配信キュー作成部３５７は、メモリ３５６のアクティブキー用配信キューテーブル（図示せず）に、このアクティブキー配信日時ｗｈｔｉとアクティブキーＷｉと利用者登録要求情報ＲＪｉに含まれている利用者側スマホ携帯電話番号ｒｔｅｉを記憶して、文字メッセージＳＭｐｉ、アクティブキーＷｉ及びアクティブキー配信日時ｗｈｔｉ並びに利用者側スマホ携帯電話番号ｒｔｅｉ等（受付番号を含んでもよい）からなるアクティブキー用配信キューＷＱｉを得る（ｄ７３）。
【０１４７】
一方、ＳＭＳメールサービス受付サイトＢのサーバ３００におけるアクティブキー送信部３８０は、メモリ３５５に記憶されたアクティブキーＷｉを読み込み、メモリ３１０のアクティブキー要求コマンドＲＫＹｉの利用者側パソコン１００のＩＰアドレスを読み込んで、ＳＳＬで利用者側パソコン１００にインターネット網２００を介して送信する（ｄ７４）。
【０１４８】
一方、サイト側スマホ３５０（３５０ａ、３５０ｂ）のサイト側アクティブキー問合部３５２は、内部タイマー（図示せず）がサイト側スマホポーリング間隔αｓｉを計測する毎に、このサイト側スマホポーリング間隔αｓｉを含めたアクティブキー有無問合情報ＷＹｊｉ（サイト側スマホ３５０の携帯電話番号ｓｔｅｉ、サイト側スマホポーリング間隔αｓｉを含む）をＳＭＳメールサービス受付サイトのサーバ３００に送信する（ｄ７５）。
【０１４９】
アクティブキー配信キュー抽出部３９０は、アクティブキー有無問合情報ＷＹｊｉが受信される毎に、メモリ３５５にアクティブキー用配信キューＷＱｉが存在するかどうかを判断する。そして、存在する場合は、アクティブキー有無問合情報ＷＹｊｉに含まれているサイト側スマホポーリング間隔αｓｉをサイト側タイマー３９２の現在日時（以下サイト側現在日時ｓｇｔｅｉという）に加算し、これを実サイト配信日時ｓｇｈｔｉとする。
【０１５０】
そして、この実サイト側配信日時ｓｇｈｔｉに一致するアクティブキー配信日時ｗｈｔｉを有するアクティブキー用配信キューＷＱｉである場合は、これを抽出し、この抽出したアクティブキー用配信キューＷＱｉに含まれている短い文字メッセージＳＭｐｉと利用者側スマホ携帯電話番号ｒｔｅｉとを無線ＬＡＮ通信部３７０に出力してサイト側スマホ３５０（３５０ａ、３５０ｂ）に送信する（ｄ７６）。
【０１５１】
従って、異なるサイトからアプリを利用者がダウンロードしたとしても、ＳＭＳメールサービス受付サイトＢからのアクティブキーＷｉによってのみこれらのアプリが起動状態となるから、ＳＭＳメールサービス受付サイトＢが許可した利用者だけを使用可能としている。
【０１５２】
また、利用者側スマホ１５０は、利用者側スマホ用アプリＲＫＡｐｉを待機状態にして起動する際は、ＳＭＳメールサービス受付サイトＢのサイト側スマホ３５０からのみのＳＭＳメールを受信するようにして、このＳＭＳメールが受信された場合に、このＳＭＳメールに含まれているアクティブキーＷｉで起動するようにしている。
【０１５３】
このため、利用者側スマホ１５０は、直に利用者側スマホ用アプリＲＫＡｐｉを起動させることができると共に、ＳＭＳメールサービス受付サイトＢはＳＭＳメールでアクティブキーＷｉを送信するので、その送信は安価にできる。
【０１５４】
また、ＳＭＳメールサービス受付サイトＢは、利用者側の要求によってのみ、１アプリあたりのアクティブキーを発行しているので、その発行数に相当する金額をアプリ販売金額としてＷｅｂ通販サイトＣに請求したとしても、その金額は間違いなくアプリ販売数に相当する金額となるからトラブルがない。
【０１５５】
次に、サイト側スマホ３５０は、サイト側スマホ３５０（３５０ａ、３５０ｂ）からの短い文字メッセージＳＭｐｉをＳＭＳメールにして利用者側スマホ１５０（１５０ａ、１５０ｂ）に送信する（ｄ７８）。
【０１５６】
一方、図１３に示すように、利用者側パソコン１００における利用者側パソコン起動アプリＲＡＡｐｉである利用者側パソコンアプリ起動判定処理部１６４は、アクティブキーＷｉをインターネット網２００を介してＳＭＳメールサービス受付サイトＢのサーバ３００から受信した場合は、アクティブキーＷｉの受信で、かつ利用者側スマホ１５０（１５０ａ、１５０ｂ）とペアリングが完了しているかどうかを判定する（ｄ８１）。
【０１５７】
次に、アクティブキーＷｉの受信で、かつペアリングが完了していると判定した場合は、このアクティブキーＷｉに含まれている携帯電話番号がメモリ１６６の利用者登録要求情報ＲＪｉの利用者側スマホ携帯電話番号ｒｔｅｉに一致しているかどうかを判断する（ｄ８３）。
【０１５８】
一致している場合は、配信キュー送出アプリＲＡＢｐｉ（配信キュー作成処理部１３２及び配信キュー抽出処理部１３４）を起動状態にする（ｄ８５）。
【０１５９】
そして、利用者側パソコンアプリ起動判定処理部１６４は、利用者側パソコン用アプリＲｐｉをアプリ管理用メモリ（図示せず）に記憶して（ｄ８７）、以後は何時でもパソコン側プログラム実行用メモリ１３０に読み出して起動できるようにする。
【０１６０】
そして、図１４に示すように、利用者側パソコンアプリ起動判定処理部１６４は、利用者側パソコン用アプリＲｐｉの配信キュー送出アプリＲＡＢｐｉ（配信キュー作成処理部１３２及び配信キュー抽出処理部１３４）をパソコン側プログラム実行用メモリ１３０に読み出して配信リスト作成処理を行わせる（ｄ９０）。この配信リスト作成処理については図を用いて後述する。
【０１６１】
一方、利用者側スマホ１５０（１５０ａ、１５０ｂ）は、図１４に示すように、コンテンツ検索サイトＥのサーバ６００にインターネット網２００を介して利用者側スマホ用アプリＲＫＡｐｉ（利用者側スマホ起動アプリＲＫＡＡｐｉ、利用者側スマホ配信キュー問合アプリＲＫＡＢｐｉ）をダウンロードするための利用者側スマホダウンロード要求ＲＳＤＹｊｉ（利用者側スマホ１５０のＩＰアドレス含む）を送信する（ｄ９５ａ、９５ｂ）。
【０１６２】
コンテンツ検索サイトＥのサーバ６００の利用者側スマホ用アプリ提供部６４０は、この利用者側スマホダウンロード要求ＲＳＤＹｊｉ（利用者側スマホ１５０のＩＰアドレス付）を受信し、受付番号を付加してメモリ６３０に記憶する（ｄ９７）。
【０１６３】
そして、メモリ６１０の利用者側スマホ用アプリＲＫＡｐｉを読み出し、かつメモリ６２０のサイト側スマホ携帯電話番号ｓｔｅｉを読み出す（Ｓ９８）。
【０１６４】
そして、利用者側スマホ用アプリＲＫＡｐｉにサイト側スマホ携帯電話番号ｓｔｅｉを付加してインターネット網２００を介して利用者側スマホダウンロード要求ＲＳＤＹｊｉを送信した利用者側スマホ１５０に送信する（ｄ９９ａ、ｄ９９ｂ）。そして、利用者側スマホ用アプリ提供部６４０は回線断となる（ｄ１０１ａ、ｄ１０１ｂ）。
【０１６５】
一方、利用者側スマホ１５０（１５０ａ、１５０ｂ）は、コンテンツ検索サイトＥのサーバ６００からの利用者側スマホ用アプリＲＫＡｐｉ（利用者側スマホ起動アプリＲＫＡＡｐｉ、利用者側スマホ配信キュー問合アプリＲＫＡＢｐｉ）を受信し、これをメモリ１５２に記憶する（ｄ１０３、ｄ１０５）。
【０１６６】
そして、スマホ側ＯＳ１５３（Ａｎｄｒｏｉｄ（登録商標））がスマホ側プログラム実行用メモリ１５５に利用者側スマホ用アプリＲＫＡｐｉを読み出す。この利用者側スマホ用アプリＲＫＡｐｉに含まれている利用者側スマホ起動アプリＲＫＡＡｐｉ（サイト側スマホ指定処理部１７０）はＳＭＳモデム機能部１５９が外付けＳＭＳモデムとして設定されている場合は、サイト側スマホ３５０のサイト側電話番号入力画面を表示し、この入力画面において入力されたサイト側スマホ携帯電話番号ｓｔｅｉをＳＭＳモデム機能部１５９に設定して、このサイト側スマホ携帯電話番号ｓｔｅｉを有するＳＭＳメールのみの受信許可状態にする（ｄ１０８ａ、ｄ１０８ｂ）。
【０１６７】
次に、利用者側スマホ起動アプリＲＫＡＡｐｉである利用者側スマホ起動判定処理部１７２は、ＳＭＳモデム機能部１５９がサイト側スマホ３５０からＳＭＳメールを受信するまで利用者側スマホ配信キュー問合アプリＲＫＡＢｐｉ（配信キュー問合処理部１５６及びＳＭＳ送信指示処理部１５７）を待機状態にする（ｄ１１０ａ、ｄ１１０ｂ）。
【０１６８】
そして、図１５に示すように、利用者側スマホ１５０の利用者側スマホ起動判定処理部１７２は利用者側スマホ起動判定処理を行う（ｄ１２０ａ、ｄ１２０ｂ）。
【０１６９】
この利用者側スマホ起動判定処理は、図１５に示すように、利用者側スマホ起動判定処理部１７２がサイト側スマホ３５０からＳＭＳメールを受信したかどうかを判定する（ｄ１２１）。
【０１７０】
利用者側スマホ１５０の利用者側スマホ起動判定処理部１７２は、サイト側スマホ３５０からＳＭＳメールを受信した場合は、このＳＭＳメールを読み込んで（ｄ１２２）、アクティブキーＷｉがあるかどうかを判定する（ｄ１２４）。
【０１７１】
アクティブキーＷｉがある場合は、これをメモリ１９０ｂに記憶する(Ｓ１２５)。そして、このアクティブキーＷｉを解読し、このアクティブキーＷｉの使用期間ｋｉと第２スマホ側タイマー１５８ｂの現在年月日、時刻と比較して、使用期間ｋｉを越えていないかどうかを判定する（ｄ１２６）。
【０１７２】
そして、使用期限内であれば、この利用者側スマホ配信キュー問合アプリＲＫＡＢｐｉをスマホ側アプリ管理用メモリ１９０ａに複写すると共に、スマホ側プログラム実行用メモリ１５５に読み出す（ｄ１２６）。そして、利用者側スマホ配信キュー問合アプリＲＫＡＢｐｉをこのアクティブキーＷｉで起動する（ｄ１２８）。
【０１７３】
これによって、利用者側パソコン１００からの短い文字メッセージを利用者側スマホ１５０から受信先スマホ８００に直接送信することが可能になると共に、いつでも利用者側スマホ配信キュー問合アプリＲＫＡＢｐｉを起動させることができる。
【０１７４】
すなわち、利用者側パソコン１００は、利用者側スマホ配信キュー問合アプリＲＫＡＢｐｉの起動によって図１６に示す状態にあることになる。
【０１７５】
図１６に示すように、利用者側スマホ配信キュー問合アプリＲＫＡＢｐｉが起動した場合は、第１利用者側スマホ１５０ａがこの利用者側スマホ配信キュー問合アプリＲＫＡＢｐｉに付加されているポーリング間隔αｉ（第１ポーリング間隔αａ）を第１スマホ側タイマー１５８ａに設定する（ｄ１３１ａ、ｄ１３１ｂ）。
【０１７６】
このポーリング間隔αｉ（第１ポーリング間隔αａ、第２ポーリング間隔αｂ）は、第１利用者側スマホ１５０ａの第１ポーリング間隔αａにおいては、例えば０．１ｓ間隔、第２利用者側スマホ１５０ｂの第２ポーリング間隔αｂにおいては、例えば０、０１ｓ間隔に設定されている。
【０１７７】
そして、利用者側スマホ配信キュー問合アプリＲＫＡＢｐｉが第１スマホ側タイマー１５８ａを起動させてポーリング間隔αｉ（αａ、αｂ）になったかどうかを判定する（ｄ１３３ａ、ｄ１３３ｂ）。
【０１７８】
そして、ポーリング間隔αｉになる毎に、利用者側スマホ配信キュー問合アプリＲＫＡＢｐｉがスマホ側ＯＳ部１５３を介してＷｉ−Ｆｉ機能部１５３ａに配信キュー要求コマンドＲＫＨＹｉ（ポーリング間隔付）を渡して利用者側パソコン１００に送信（プロトコルはＴＣＰ/ＩＰ）する（ｄ１３５ａ、ｄ１３５ｂ）。
【０１７９】
すなわち、第１利用者側スマホ１５０ａ、１５０ｂは、各々のポーリング間隔αｉ毎に、配信キューＱｉがあるかどうかを利用者側パソコン１００に問合せしている。
【０１８０】
このため、複数の利用者側スマホ１５０を利用者側パソコン１００に接続しても、配信キュー要求コマンドＲＫＨＹｉが同時に利用者側パソコン１００に送信されることがない。
【０１８１】
（配信リスト作成処理の説明）
利用者側パソコン１００の配信リスト作成処理について図２０及び図２１のフローチャートを用いて説明する。
【０１８２】
図２０に示すように配信キュー送出アプリＲＡＢｐｉである配信キュー作成処理部１３２は、初めに配信リスト入力画面の一種である配信リスト作成用初期画面（送り形態項目画面ともいう）を表示する（Ｓ１００）。
【０１８３】
この配信リスト作成用初期画面は、図２２（ａ）に示すように、「新しいメッセージを送る」、「宛先グループを選んで送る」、「宛先を選んで送る」、「メッセージ送信予約内容の確認・修正」の選択ボタン等からなる。
【０１８４】
次に、配信キュー作成処理部１３２は、これらの選択ボタンのいずれかが選択されたかどうかを監視している（Ｓ１０２）。
【０１８５】
ステップＳ１０２において、「新しいメッセージを送る」が選択された場合は、図２２（ｂ）に示すように、受信先名欄と受信先携帯電話番号欄等からなる第１の入力画面を表示する（Ｓ１０４）。
【０１８６】
そして、この第１の入力画面において決定ボタンが選択されたかどうかを監視する（Ｓ１０６）。ステップＳ１０６において、決定ボタンが選択されたと判定した場合は、第１の入力画面に、入力された受信先名ｕｎｉと受信先スマホ携帯電話番号ｕｔｅｉとを関連させて図２３（ａ）に示すようにメモリ１３３に記憶する（Ｓ１０８）。
【０１８７】
次に、メモリ１３３に記憶されている受信先名ｕｎｉと受信先スマホ携帯電話番号ｕｔｅｉとを含ませた短い文字メッセージＭｐｉを入力するための入力画面（第２の入力画面ともいう）を表示（図２２（ｃ）参照）する（Ｓ１１０）。
【０１８８】
そして、この第２の入力画面において、文字が入力される毎に文字カウンタ（図示せず）で文字数をカウントし、予め記憶されている最大数との差を数残り文字数として表示しながら短い文字メッセージＭｐｉを表示する（Ｓ１１２）。この短い文字メッセージＭｐｉはメモリ１３３の受信先名ｕｎｉと受信先スマホ携帯電話番号ｕｔｅｉに関連付けられて記憶される。
【０１８９】
次に、第２の入力画面において、「日時を指定して送信」ボタンが選択されたかどうかを判定する（Ｓ１１４）。
【０１９０】
ステップＳ１１４において、「日時を指定して送信」が選択された場合は、この短い文字メッセージＭｐｉを前述の受信先名ｕｎｉ、受信先スマホ携帯電話番号ｕｔｅｉに関連付けてメモリ１３３に記憶する（Ｓ１１６）。
【０１９１】
そして、図２１に示すように「送る日時指定画面」（第３の入力画面ともいう）を表示（図２４（ａ）参照）する（Ｓ１２０）。
【０１９２】
次に、第３の入力画面において「今すぐ送る」ボタン又は「カレンダー、時間」（総称して年月日時入力ボタンという）が選択されたかどうかを判定する（Ｓ１２２）。
【０１９３】
ステップＳ１２２において、「今すぐ送る」ボタンが選択された場合は、メモリ１３３の受信先名ｕｎｉ、受信先スマホ携帯電話番号ｕｔｅｉ、短い文字メッセージＭｐｉ（総称して受信先宛メッセージ情報ＲＵＪｉという）を配信キューＱｉとして配信キューテーブル１３６に設定する（Ｓ１２４）。このとき、配信キュー作成処理部１３２は、予め設定されているポーリング間隔αｉの数倍の時間をパソコン側タイマー１３７の現在日時ｒｇｔｉに加算した配信日時ｒｈｔｉにした配信キューＱｉを配信キューテーブル１３６に設定する。
【０１９４】
一方、利用者側スマホ１５０（１５０ａ、１５０ｂ）の配信キュー問合処理部１５６は、図１６のシーケンス図に示すように、配信キュー要求コマンドＲＫＨＹｉ（利用者側スマホ１５０毎に異なるポーリング間隔αｉ付）を利用者側パソコン１００に送信している。
【０１９５】
このため、配信キューテーブル１３６に配信キューＱｉが設定されると、配信キュー抽出処理部１３４が利用者側スマホ１５０（１５０ａ又は１５０ｂ）から配信キュー要求コマンドＲＫＨＹｉを無線ＬＡＮ送受信部１４０から受信した場合は、この受信毎にパソコン側タイマー１３７の現在日時ｒｇｔｉに対して配信キュー要求コマンドＲＫＨＹｉに付加されているポーリング間隔αｉを加算した配信日時ｒｈｔｉを有する配信キューＱｉを抽出して、無線ＬＡＮ送受信部１４０に送信することになる。
【０１９６】
すなわち、図２９に示すシーケンス図のようになる。
【０１９７】
例えば、利用者側パソコン１００の配信キュー抽出処理部１３４は、配信キュー要求コマンドＲＫＨＹｉを無線ＬＡＮ送受信部１４０を介して第１利用者側スマホ１５０ａから受信した場合は、配信キュー要求コマンドＲＫＨＹｉに付加されているポーリング間隔αａを加算した配信日時ｒｈｔｉを有する配信キューＱｉを配信キューテーブル１３６から抽出して、これを無線ＬＡＮ送受信部１４０に送出する配信キュー送出処理を行う（ｄ１４１ａ）。
【０１９８】
無線ＬＡＮ送受信部１４０は、第１利用者側スマホ１５０ａとペアリング状態になっているので、この配信キューＱｉを第１利用者側スマホ１５０ａに送信する（ｄ１４３ａ）。
【０１９９】
第１利用者側スマホ１５０ａのＳＭＳ送信指示処理部１５７は、配信キュー要求コマンドＲＫＨＹｉの送信に伴って、利用者側パソコン１００から配信キューＱｉを受信した場合は、この配信キューＱｉに含まれている受信先スマホ携帯電話番号ｕｔｅｉ、短い文字メッセージＭｐｉをＳＭＳモデム機能部１５９に出力して、この受信先スマホ携帯電話番号ｕｔｅｉ宛（受信先スマホ８００）のＳＭＳメールを送信する（ｄ１４５ａ）。
【０２００】
そして、第１利用者側スマホ１５０ａは、このＳＭＳメールの受信結果を通信キャリアから受信し（ｄ１４７ａ）、これを利用者側パソコン１００に送信する（１４９ａ）。
【０２０１】
また、本処理が終了とされたかどうかを判断し（ｄ１５１ａ）、終了にされない場合は、ｄ１３３に戻る（ｄ１５３ａ）。
【０２０２】
また、終了にされた場合は、スマホ側プログラム実行用メモリ１５５から利用者側スマホ用アプリＲＫＡｐｉを削除する（ｄ１５５ａ）。
【０２０３】
一方、利用者側パソコン１００の配信キュー抽出処理部１３４は、配信キュー要求コマンドＲＫＨＹｉを無線ＬＡＮ送受信部１４０を介して第２利用者側スマホ１５０ｂから受信した場合は、配信キュー要求コマンドＲＫＨＹｉに付加されているポーリング間隔αｂを加算した配信日時ｒｈｔｉを有する配信キューＱｉを配信キューテーブル１３６から抽出して、これを無線ＬＡＮ送受信部１４０に送出する配信キュー送出処理を行う（ｄ１４１ｂ）。
【０２０４】
無線ＬＡＮ送受信部１４０は、第２利用者側スマホ１５０ｂとペアリング状態になっているので、この配信キューＱｉを第２利用者側スマホ１５０ｂに送信する（ｄ１４３ｂ）。
【０２０５】
第２利用者側スマホ１５０ｂのＳＭＳ送信指示処理部１５７は、配信キュー要求コマンドＲＫＨＹｉの送信に伴って、利用者側パソコン１００から配信キューＱｉを受信した場合は、この配信キューＱｉに含まれている受信先スマホ携帯電話番号ｕｔｅｉ、短い文字メッセージＭｐｉをＳＭＳモデム機能部１５９に出力して、この受信先スマホ携帯電話番号ｕｔｅｉ宛（受信先スマホ８００）のＳＭＳメールを送信する（ｄ１４５ｂ）。
【０２０６】
そして、第２利用者側スマホ１５０ｂは、このＳＭＳメールの受信結果を通信キャリアから受信し（ｄ１４７ｂ）、これを利用者側パソコン１００に送信する（１４９ｂ）。
【０２０７】
また、本処理が終了とされたかどうかを判断し（ｄ１５１ｂ）、終了にされない場合は、ｄ１３３に戻る（ｄ１５３ｂ）。
【０２０８】
また、終了にされた場合は、スマホ側プログラム実行用メモリ１５５から利用者側スマホ用アプリＲＫＡｐｉを削除する（ｄ１５５ｂ）。
【０２０９】
一方、利用者側パソコン１００は、終了にされたかどうかを判断する（ｄ１６１）。
【０２１０】
終了にされていない場合は、ｄ１４１に戻る（ｄ１６３）。
【０２１１】
また、終了にされた場合は、パソコン側プログラム実行用メモリ１３０から利用者側パソコン用アプリＲｐｉを削除する（ｄ１６５）。
【０２１２】
次に、メモリ１３３に受信先宛メッセージ情報ＲＵＪｉが他にあるかどうかを判断する（Ｓ１２５）。ステップＳ１２５において、受信先宛メッセージ情報ＲＵＪｉが他にないと判断した場合は、スマホアプリ起動のメッセージを表示した受信先携帯電話アプリ起動要求画面（図２４（ｃ）参照）を表示する（Ｓ１２６）。次に終了かどうかを判断し、終了でない場合は、処理ステップＳ１０２に戻す（Ｓ１２８）。
【０２１３】
また、ステップＳ１２２において、「カレンダー、時間」ボタンが選択された場合は、図２４（ｂ）に示すように、受信先名ｕｎｉ、短い文字メッセージＭｐｉと、送り日時（以下配信日時ｒｈｔｉという）とを表示する（Ｓ１３０）。この画面を本実施の形態では確認画面と称する。
【０２１４】
この画面における「カレンダー」「日時」は、『○○年○月○○日○○：○○分』と表示し、オペレータがテンキー等で入力するのが好ましい。
【０２１５】
次に、この画面において「送信」ボタンの選択かどうかを判断し、「送信ボタン」の選択の場合は、メモリ１３３の受信先名ｕｎｉ、短い文字メッセージＭｐｉと、受信先スマホ携帯電話番号ｕｔｅｉとに配信日時ｒｈｔｉを関連づけて、これを配信キューＱｉとして配信キューテーブル１３６に記憶し（Ｓ１３２）、処理をステップＳ１２６に戻す。すなわち、図２９と同様なシーケンス図の処理を行うことになる。
【０２１６】
一方、ステップＳ１０２において、「宛先を選んで送る」ボタンの選択と判定した場合は、メモリ１３３にグループ別受信先宛メッセージ情報ＵＧＪｉが存在しているかどうかを判断する（Ｓ１４０）。このグループ別受信先宛メッセージ情報ＵＧＪｉというのは、グループ名（例えばクラス名）と、受信先名と、受信先スマホ携帯電話番号ｕｔｅｉ等である。
【０２１７】
ステップＳ１４０においてグループ別受信先宛メッセージ情報ＵＧＪｉが存在していると判断した場合は、これらのグループ別受信先宛メッセージ情報ＵＧＪｉの受信先名ｕｎｉ、受信先スマホ携帯電話番号ｕｔｅｉを読み出して、図２５（ａ）に示すように、これらを全て表示（選択先名画面）する（Ｓ１４２）。
【０２１８】
次に、選択完了ボタンが選択されたかどうかを判断する（Ｓ１４４）。選択完了ボタンが選択された場合は、選択されたグループ別受信先宛メッセージ情報ＵＧＪｉ（受信先名ｕｎｉ、受信先スマホ携帯電話番号ｕｔｅｉ）を受信先宛メッセージ情報ＲＵＪｉとしてメモリ１３３に記憶する（Ｓ１４６）。そして、ステップＳ１１０に処理を戻してステップＳ１１２〜ステップＳ１３２の処理を行う。
【０２１９】
すなわち、図２５（ｂ）に示す第２の入力画面、図２６（ａ）に示す第３の入力画面、図２６（ｂ）に示す確認画面、図２６（ｃ）に示す受信先携帯電話アプリ起動画面を表示して、選択された宛先に「短い文字メッセージＭｐｉ」を送信する。つまり、図２９のシーケンス図の処理を行うことになる。
【０２２０】
一方、図２０に示すステップＳ１０２において、「宛先グループを選んで送る」ボタンが選択された場合（例えば、学級）は、メモリ１３３に記憶されている全てのグループ別受信先宛メッセージ情報ＵＧＪｉのグループ名を全て読み出して図２７（ａ）に示すように表示する（Ｓ１５０）。
【０２２１】
そして、選択ボタンが選択されたかどうかを判断する（Ｓ１５２）。
【０２２２】
ステップＳ１５２において、選択ボタンが選択された場合は、選択されたグループ名を有するグループ別受信先宛メッセージ情報ＵＧＪｉを全て抽出する（Ｓ１５３）。
【０２２３】
そして、抽出したグループ別受信先宛メッセージ情報ＵＧＪｉを受信先宛メッセージ情報ＲＵＪｉとしてメモリ１３３に記憶する（Ｓ１５５）。このグループ別受信先宛メッセージ情報ＵＧＪｉは図２３（ｂ）に示すように、グループ毎に、受信先名ｕｎｉ、受信先スマホ携帯電話番号ｕｔｅｉ、短い文字メッセージＭｐｉが関連付けて記憶される。
【０２２４】
次に、他に抽出したグループ別受信先宛メッセージ情報ＵＧＪｉが存在するかどうかを判断し（Ｓ１５７）、存在する場合は、処理をステップＳ１５５に戻してそのグループ別受信先宛メッセージ情報ＵＧＪｉを受信先宛メッセージ情報ＲＵＪｉとしてメモリ１３３に記憶する。
【０２２５】
また、ステップＳ１５７において、グループ別受信先宛メッセージ情報ＵＧＪｉが存在しないと判定した場合は、処理をステップＳ１１０に戻す。
【０２２６】
つまり、複数のグループ別受信先宛メッセージ情報ＵＧＪｉが存在している場合は、図２７（ｂ）に示すように、複数のグループ名（学級「Ａ」組、学級「Ｂ」組）を埋め込んだメッセージ入力画面が表示されることになる。
【０２２７】
そして、処理をステップＳ１１２に戻してステップＳ１１２〜ステップＳ１３２の処理を行う。
【０２２８】
すなわち、図２８（ａ）〜図２８（ｃ）に示す画面を表示して、選択された宛先に「短い文字メッセージＭｐｉ」を送信する。このとき、図２９に示すシーケンス図の処理を行うことになる。
【０２２９】
なお、上記実施の形態では、ＳＭＳメールサービス受付サイトのサーバ３００に、アクティブキー用配信キュー作成部３５７とアクティブキー配信キュー抽出部３９０とを備えている場合を説明したが、利用者側パソコン１００と同様に、インターネット網２００を介してＷｅｂ通販サイトＣ（例えばアマゾン）のサーバ４００から利用者側パソコン用アプリＲｐｉ（利用者側パソコン起動アプリＲＡＡｐｉと配信キュー送出アプリＲＡＢｐｉ）をダウンロードして用いてもかまわない。
【０２３０】
同様に、利用者側スマホ用アプリＲＫＡｐｉをコンテンツ検索サイトＥ（例えばｇｏｏｇｌｅＡＰＰ）からダウンロードして用いてもかまわない。
【符号の説明】
【０２３１】
Ａ  利用者側ＳＭＳメール配信サービスシステム
Ｆ  サービスサイト
Ｂ  ＳＭＳメールサービス受付サイト
Ｃ  Ｗｅｂ通販サイト
Ｅ  コンテンツ検索サイトＥ
１００  利用者側パソコン１００
１３２  配信キュー作成処理部
１３４  配信キュー抽出処理部
１４０  無線ＬＡＮ送受信部
１５０  利用者側スマホ
１５６  配信キュー問合処理部
１５７  ＳＭＳ送信指示処理部
１６０  利用者登録情報作成処理部
１６２  アクティブキー送信処理部
１６４  利用者側パソコンアプリ起動判定処理部
１７０  サイト側スマホ指定処理部
２００  インターネット網
３４０  利用者側登録情報受信部
３５０  サイト側スマホ
３５３  アクティブキー作成部
３６０  ＳＭＳメッセージ作成部
Ａｉ  利用者側アプリ
Ｒｐｉ  利用者側パソコン用アプリ
ＲＡＡｐｉ  利用者側パソコン起動アプリ
ＲＡＢｐｉ  配信キュー送出アプリ
ＲＫＡｐｉ  利用者側スマホ用アプリ
ＲＫＡＡｐｉ  利用者側スマホ起動アプリ
ＲＫＡＢｐｉ  利用者側スマホ配信キュー問合アプリ
【図１】
2015060588.tif 000003
【図２】
2015060588.tif 000004
【図３】
2015060588.tif 000005
【図４】
2015060588.tif 000006
【図５】
2015060588.tif 000007
【図６】
2015060588.tif 000008
【図７】
2015060588.tif 000009
【図８】
2015060588.tif 000010
【図９】
2015060588.tif 000011
【図１０】
2015060588.tif 000012
【図１１】
2015060588.tif 000013
【図１２】
2015060588.tif 000014
【図１３】
2015060588.tif 000015
【図１４】
2015060588.tif 000016
【図１５】
2015060588.tif 000017
【図１６】
2015060588.tif 000018
【図１７】
2015060588.tif 000019
【図１８】
2015060588.tif 000020
【図１９】
2015060588.tif 000021
【図２０】
2015060588.tif 000022
【図２１】
2015060588.tif 000023
【図２２】
2015060588.tif 000024
【図２３】
2015060588.tif 000025
【図２４】
2015060588.tif 000026
【図２５】
2015060588.tif 000027
【図２６】
2015060588.tif 000028
【図２７】
2015060588.tif 000029
【図２８】
2015060588.tif 000030
【図２９】
2015060588.tif 000031
【図３０】
2015060588.tif 000032